(57)【特許請求の範囲】
【請求項１】
無線通信システムにおいて端末（ＵＥ）によって制御情報を送信する方法であって、前記ＵＥは、アップリンク・ダウンリンク（ＵＬ−ＤＬ）構成＃０に設定されたプライマリセルおよびＵＬ−ＤＬ構成＃１〜＃６のうちの一つに設定されたセカンダリセルで構成され、前記方法は、
前記ＵＥによって、Ｄｏｗｎｌｉｎｋ  Ａｓｓｉｇｎｍｅｎｔ  Ｉｎｄｅｘ（ＤＡＩ）フィールドおよびリソース割当情報を含むＤｏｗｎｌｉｎｋ  Ｃｏｎｔｒｏｌ  Ｉｎｆｏｒｍａｔｉｏｎ（ＤＣＩ）フォーマットを前記セカンダリセルのために受信することと、
前記ＵＥによって、前記セカンダリセルを介して、前記ＤＣＩフォーマットにより示されるＰｈｙｓｉｃａｌ  Ｄｏｗｎｌｉｎｋ  Ｓｈａｒｅｄ  Ｃｈａｎｎｅｌ（ＰＤＳＣＨ）を受信することと、
前記ＵＥによって、前記セカンダリセルに対する１つ以上のＨｙｂｒｉｄ  Ａｕｔｏｍａｔｉｃ  Ｒｅｐｅａｔ  Ｒｅｑｕｅｓｔ  Ａｃｋｎｏｗｌｅｄｇｅｍｅｎｔ（ＨＡＲＱ−ＡＣＫ）ビット（ｏ０，ｏ１，．．．，ｏＮ−１）を含むＨＡＲＱ−ＡＣＫ情報を送信することと
を含み、
Ｎは、前記セカンダリセルに対するＨＡＲＱ−ＡＣＫビットの数を表し、
前記ＤＣＩフォーマット内にＣａｒｒｉｅｒ  Ｉｎｄｉｃａｔｏｒ  Ｆｉｅｌｄ（ＣＩＦ）が存在しない場合、前記ＰＤＳＣＨに関するＨＡＲＱ−ＡＣＫビットは、ｏ０，ｏ１，．．．，ｏＮ−１のうちのｏｉに配置され、ｉは、前記ＤＡＩフィールドの値に依存し、
前記ＤＣＩフォーマット内に前記ＣＩＦが存在する場合、前記ＰＤＳＣＨに関する前記ＨＡＲＱ−ＡＣＫビットは、ｏ０，ｏ１，．．．，ｏＮ−１のうちのｏ０に配置され、
前記ＵＬ−ＤＬ構成＃０〜＃６に従うサブフレーム構成は、次の表１に示されており、
【表１】
0005933753.tif 000024
ここで、Ｄは、ＤＬサブフレームを示し、Ｕは、ＵＬサブフレームを示し、Ｓは、スペシャルサブフレームを示す、方法。
【請求項２】
前記ＤＣＩフォーマット内に前記ＣＩＦが存在する場合、前記プライマリセルのＵＬ−ＤＬ構成のＨＡＲＱ−ＡＣＫタイミングが、前記ＨＡＲＱ−ＡＣＫ情報の送信に用いられ、前記ＨＡＲＱ−ＡＣＫタイミングは、前記ＰＤＳＣＨが受信されるサブフレームと、前記ＨＡＲＱ−ＡＣＫ情報が送信されるサブフレームとの間の時間関係を意味する、請求項１に記載の方法。
【請求項３】
前記ＤＣＩフォーマット内に前記ＣＩＦが存在しない場合、前記セカンダリセルのＵＬ−ＤＬ構成のＨＡＲＱ−ＡＣＫタイミングが、前記ＨＡＲＱ−ＡＣＫ情報の送信に用いられる、請求項２に記載の方法。
【請求項４】
前記ＤＣＩフォーマットは、ＤＣＩフォーマット１、１Ａ、１Ｂ、１Ｃ、１Ｄ、２、２Ａ、２Ｂ、２Ｃ、または２Ｄを含む、請求項１に記載の方法。
【請求項５】
前記無線通信システムは、３ｒｄ  Ｇｅｎｅｒａｔｉｏｎ  Ｐａｒｔｎｅｒｓｈｉｐ  Ｐｒｏｊｅｃｔ（３ＧＰＰ）無線通信システムである、請求項１に記載の方法。
【請求項６】
無線通信システムにおいて使用される端末（ＵＥ）であって、前記ＵＥは、アップリンク・ダウンリンク（ＵＬ−ＤＬ）構成＃０に設定されたプライマリセルおよびＵＬ−ＤＬ構成＃１〜＃６のうちの一つに設定されたセカンダリセルで構成され、前記ＵＥは、
無線周波数（ＲＦ）ユニットと、
前記ＲＦユニットに動作可能に結合されたプロセッサと
を含み、前記プロセッサは、
Ｄｏｗｎｌｉｎｋ  Ａｓｓｉｇｎｍｅｎｔ  Ｉｎｄｅｘ（ＤＡＩ）フィールドおよびリソース割当情報を含むＤｏｗｎｌｉｎｋ  Ｃｏｎｔｒｏｌ  Ｉｎｆｏｒｍａｔｉｏｎ（ＤＣＩ）フォーマットを前記セカンダリセルのために受信することと、
前記セカンダリセルを介して、前記ＤＣＩフォーマットにより示されるＰｈｙｓｉｃａｌ  Ｄｏｗｎｌｉｎｋ  Ｓｈａｒｅｄ  Ｃｈａｎｎｅｌ（ＰＤＳＣＨ）を受信することと、
前記セカンダリセルに対する１つ以上のＨｙｂｒｉｄ  Ａｕｔｏｍａｔｉｃ  Ｒｅｐｅａｔ  Ｒｅｑｕｅｓｔ  Ａｃｋｎｏｗｌｅｄｇｅｍｅｎｔ（ＨＡＲＱ−ＡＣＫ）ビット（ｏ０，ｏ１，．．．，ｏＮ−１）を含むＨＡＲＱ−ＡＣＫ情報を送信することと
を行うように構成され、
Ｎは、前記セカンダリセルに対するＨＡＲＱ−ＡＣＫビットの数を表し、
前記ＤＣＩフォーマット内にＣａｒｒｉｅｒ  Ｉｎｄｉｃａｔｏｒ  Ｆｉｅｌｄ（ＣＩＦ）が存在しない場合、前記ＰＤＳＣＨに関するＨＡＲＱ−ＡＣＫビットは、ｏ０，ｏ１，．．．，ｏＮ−１のうちのｏｉに配置され、ｉは、前記ＤＡＩフィールドの値に依存し、
前記ＤＣＩフォーマット内に前記ＣＩＦが存在する場合、前記ＰＤＳＣＨに関する前記ＨＡＲＱ−ＡＣＫビットは、ｏ０，ｏ１，．．．，ｏＮ−１のうちのｏ０に配置され、
前記ＵＬ−ＤＬ構成＃０〜＃６に従うサブフレーム構成は、次の表１に示されており、
【表１】
0005933753.tif 000025
ここで、Ｄは、ＤＬサブフレームを示し、Ｕは、ＵＬサブフレームを示し、Ｓは、スペシャルサブフレームを示す、ＵＥ。
【請求項７】
前記ＤＣＩフォーマット内に前記ＣＩＦが存在する場合、前記プライマリセルのＵＬ−ＤＬ構成のＨＡＲＱ−ＡＣＫタイミングが、前記ＨＡＲＱ−ＡＣＫ情報の送信に用いられ、前記ＨＡＲＱ−ＡＣＫタイミングは、前記ＰＤＳＣＨが受信されるサブフレームと、前記ＨＡＲＱ−ＡＣＫ情報が送信されるサブフレームとの間の時間関係を意味する、請求項６に記載のＵＥ。
【請求項８】
前記ＤＣＩフォーマット内に前記ＣＩＦが存在しない場合、前記セカンダリセルのＵＬ−ＤＬ構成のＨＡＲＱ−ＡＣＫタイミングが、前記ＨＡＲＱ−ＡＣＫ情報の送信に用いられる、請求項７に記載のＵＥ。
【請求項９】
前記ＤＣＩフォーマットは、ＤＣＩフォーマット１、１Ａ、１Ｂ、１Ｃ、１Ｄ、２、２Ａ、２Ｂ、２Ｃ、または２Ｄを含む、請求項６に記載のＵＥ。
【請求項１０】
前記無線通信システムは、３ｒｄ  Ｇｅｎｅｒａｔｉｏｎ  Ｐａｒｔｎｅｒｓｈｉｐ  Ｐｒｏｊｅｃｔ（３ＧＰＰ）無線通信システムである、請求項６に記載のＵＥ。
【発明の詳細な説明】
【技術分野】
【０００１】
本発明は、無線通信システムに係り、特に、キャリアアグリゲーション（ＣＡ）ベースの無線通信システムにおいて制御情報を送信する方法及び装置に関する。
【背景技術】
【０００２】
無線通信システムが音声やデータなどのような種々の通信サービスを提供するために広範囲に展開されている。一般に、無線通信システムは、可用のシステムリソース（帯域幅、送信電力など）を共有して複数ユーザとの通信をサポートできる多元接続（ｍｕｌｔｉｐｌｅ  ａｃｃｅｓｓ）システムのことをいう。多元接続システムの例には、ＣＤＭＡ（ｃｏｄｅ  ｄｉｖｉｓｉｏｎ  ｍｕｌｔｉｐｌｅ  ａｃｃｅｓｓ）システム、ＦＤＭＡ（ｆｒｅｑｕｅｎｃｙ  ｄｉｖｉｓｉｏｎ  ｍｕｌｔｉｐｌｅ  ａｃｃｅｓｓ）システム、ＴＤＭＡ（ｔｉｍｅ  ｄｉｖｉｓｉｏｎ  ｍｕｌｔｉｐｌｅ  ａｃｃｅｓｓ）システム、ＯＦＤＭＡ（ｏｒｔｈｏｇｏｎａｌ  ｆｒｅｑｕｅｎｃｙ  ｄｉｖｉｓｉｏｎ  ｍｕｌｔｉｐｌｅ  ａｃｃｅｓｓ）システム、ＳＣ−ＦＤＭＡ（ｓｉｎｇｌｅ  ｃａｒｒｉｅｒ  ｆｒｅｑｕｅｎｃｙ  ｄｉｖｉｓｉｏｎ  ｍｕｌｔｉｐｌｅ  ａｃｃｅｓｓ）システムなどがある。
【発明の概要】
【発明が解決しようとする課題】
【０００３】
本発明の目的は、ＣＡベースの無線通信システムにおいて制御情報を送信する方法及びそのための装置を提供することにある。本発明の他の目的は、ダウンリンク／アップリンク信号に対する受信応答情報を效率よく送信／受信するための方法及びそのための装置を提供することにある。
【０００４】
本発明で達成しようとする技術的課題は、以上に言及している技術的課題に制限されるものではなく、言及していない他の技術的課題は、下の記載から、本発明の属する技術の分野における通常の知識を有する者には明らかになるであろう。
【課題を解決するための手段】
【０００５】
本発明の一態様として、ＣＡ（Ｃａｒｒｉｅｒ  Ａｇｇｒｅｇａｔｉｏｎ）ベースの無線通信システムにおいて端末が制御情報を送信する方法であって、互いに異なるサブフレーム構成を持つ第１セルと第２セルを構成し、該第２セルはＵＬ−ＤＬ構成（Ｕｐｌｉｎｋ  Ｄｏｗｎｌｉｎｋ  Ｃｏｎｆｉｇｕｒａｔｉｏｎ）＃０〜＃６のいずれか一つに設定されることと、前記第２セルのために、Ｎビットフィールド（Ｎ＞１）を含むアップリンクＤＣＩ（Ｄｏｗｎｌｉｎｋ  Ｃｏｎｔｒｏｌ  Ｉｎｆｏｒｍａｔｉｏｎ）フォーマットを受信することと、前記アップリンクＤＣＩフォーマットに対応するＰＵＳＣＨ（Ｐｈｙｓｉｃａｌ  Ｕｐｌｉｎｋ  Ｓｈａｒｅｄ  Ｃｈａｎｎｅｌ）信号をサブフレームで送信することと、を含み、ＰＵＳＣＨタイミングのために、前記第２セルに適用される参照ＵＬ−ＤＬ構成がＵＬ−ＤＬ構成＃０である場合に、前記Ｎビットフィールドは前記サブフレームのインデックスを決定するのに用いられ、ＰＵＳＣＨタイミングのために、前記第２セルに適用される参照ＵＬ−ＤＬ構成がＵＬ−ＤＬ構成＃１〜＃６のいずれか一つである場合に、前記ＮビットフィールドはＤＡＩ（Ｄｏｗｎｌｉｎｋ  Ａｓｓｉｇｎｍｅｎｔ  Ｉｎｄｅｘ）を指示するのに用いられ、前記ＵＬ−ＤＬ構成によるサブフレーム構成は、下記の表のように与えられる方法が提供される：
【０００６】
【化１】
0005933753.tif 000002
ここで、Ｄはダウンリンクサブフレームを表し、Ｕはアップリンクサブフレームを表し、Ｓはスペシャルサブフレームを表す。
【０００７】
本発明の他の態様として、ＣＡ（Ｃａｒｒｉｅｒ  Ａｇｇｒｅｇａｔｉｏｎ）ベースの無線通信システムに用いれる端末であって、ＲＦ（Ｒａｄｉｏ  Ｆｒｅｑｕｅｎｃｙ）ユニットと、プロセッサと、を備え、該プロセッサは、互いに異なるサブフレーム構成を持つ第１セルと第２セルを構成し、該第２セルはＵＬ−ＤＬ構成（Ｕｐｌｉｎｋ  Ｄｏｗｎｌｉｎｋ  Ｃｏｎｆｉｇｕｒａｔｉｏｎ）＃０〜＃６のいずれか一つに設定され、第２セルのために、Ｎビットフィールド（Ｎ＞１）を含むアップリンクＤＣＩ（Ｄｏｗｎｌｉｎｋ  Ｃｏｎｔｒｏｌ  Ｉｎｆｏｒｍａｔｉｏｎ）フォーマットを受信し、前記アップリンクＤＣＩフォーマットに対応するＰＵＳＣＨ（Ｐｈｙｓｉｃａｌ  Ｕｐｌｉｎｋ  Ｓｈａｒｅｄ  Ｃｈａｎｎｅｌ）信号をサブフレームで送信するように構成され、ＰＵＳＣＨタイミングのために、前記第２セルに適用される参照ＵＬ−ＤＬ構成がＵＬ−ＤＬ構成＃０である場合に、前記Ｎビットフィールドは前記サブフレームのインデックスを決定するのに用いられ、ＰＵＳＣＨタイミングのために、前記第２セルに適用される参照ＵＬ−ＤＬ構成がＵＬ−ＤＬ構成＃１〜＃６のいずれか一つである場合に、前記ＮビットフィールドはＤＡＩ（Ｄｏｗｎｌｉｎｋ  Ａｓｓｉｇｎｍｅｎｔ  Ｉｎｄｅｘ）を指示するのに用いられ、前記ＵＬ−ＤＬ構成によるサブフレーム構成は、下記の表のように与えられる端末が提供される：
【０００８】
【化２】
0005933753.tif 000003
ここで、Ｄはダウンリンクサブフレームを表し、Ｕはアップリンクサブフレームを表し、Ｓはスペシャルサブフレームを表す。
【０００９】
好適には、前記第１セルは、ＵＬ−ＤＬ構成＃１〜＃６のいずれか一つに設定される。
【００１０】
好適には、前記第１セルは、ＰＣｅｌｌ（Ｐｒｉｍａｒｙ  Ｃｅｌｌ）、又は第２セルに対するスケジューリングを行うセルであり、前記第２セルはＳＣｅｌｌ（Ｓｅｃｏｎｄａｒｙ  Ｃｅｌｌ）である。
【００１１】
好適には、前記アップリンクＤＣＩフォーマットはＣＩＦ（Ｃａｒｒｉｅｒ  Ｉｎｄｉｃａｔｏｒ  Ｆｉｅｌｄ）をさらに含む。
【００１２】
好適には、前記アップリンクＤＣＩフォーマットは、ＤＣＩフォーマット０又は４を含む。
【００１３】
好適には、前記ＤＡＩは、前記ＰＵＳＣＨ信号に含まれたＨＡＲＱ−ＡＣＫ（Ｈｙｂｒｉｄ  Ａｕｔｏｍａｔｉｃ  Ｒｅｐｅａｔ  ｒｅＱｕｅｓｔ  Ａｃｋｎｏｗｌｅｄｇｅｍｅｎｔ）ペイロードを生成するのに用いれる。
【００１４】
本発明のさらに他の態様として、ＣＡ（Ｃａｒｒｉｅｒ  Ａｇｇｒｅｇａｔｉｏｎ）ベースの無線通信システムにおいて端末が制御情報を送信する方法であって、互いに異なるサブフレーム構成を持つ第１セルと第２セルを構成し、前記第２セルはＵＬ−ＤＬ構成（Ｕｐｌｉｎｋ  Ｄｏｗｎｌｉｎｋ  Ｃｏｎｆｉｇｕｒａｔｉｏｎ）＃０に設定されることと、前記第２セルのために、Ｎビットフィールド（Ｎ＞１）を含むアップリンクＤＣＩ（Ｄｏｗｎｌｉｎｋ  Ｃｏｎｔｒｏｌ  Ｉｎｆｏｒｍａｔｉｏｎ）フォーマットを受信することと、前記アップリンクＤＣＩフォーマットに対応するＰＵＳＣＨ（Ｐｈｙｓｉｃａｌ  Ｕｐｌｉｎｋ  Ｓｈａｒｅｄ  Ｃｈａｎｎｅｌ）信号をサブフレームで送信することと、を含み、前記Ｎビットフィールドは、ＵＬ（Ｕｐｌｉｎｋ）インデックス、又はＤＡＩ（Ｄｏｗｎｌｉｎｋ  Ａｓｓｉｇｎｍｅｎｔ  Ｉｎｄｅｘ）のいずれか一つを表し、ＰＵＳＣＨタイミングのために、前記第２セルに適用される参照ＵＬ−ＤＬ構成がＵＬ−ＤＬ構成＃１〜＃６のいずれか一つである場合に、前記Ｎビットフィールドは前記ＤＡＩを表し、前記ＵＬ−ＤＬ構成によるサブフレーム構成は、下記の表のように与えられる方法が提供される：
【００１５】
【化３】
0005933753.tif 000004
ここで、Ｄはダウンリンクサブフレームを表し、Ｕはアップリンクサブフレームを表し、Ｓはスペシャルサブフレームを表す。
【００１６】
本発明のさらに他の態様として、ＣＡ（Ｃａｒｒｉｅｒ  Ａｇｇｒｅｇａｔｉｏｎ）ベースの無線通信システムに用いれる端末であって、ＲＦ（Ｒａｄｉｏ  Ｆｒｅｑｕｅｎｃｙ）ユニットと、プロセッサと、を備え、該プロセッサは、互いに異なるサブフレーム構成を持つ第１セルと第２セルを構成し、前記第２セルはＵＬ−ＤＬ構成（Ｕｐｌｉｎｋ  Ｄｏｗｎｌｉｎｋ  Ｃｏｎｆｉｇｕｒａｔｉｏｎ）＃０に設定し、第２セルのために、Ｎビットフィールド（Ｎ＞１）を含むアップリンクＤＣＩ（Ｄｏｗｎｌｉｎｋ  Ｃｏｎｔｒｏｌ  Ｉｎｆｏｒｍａｔｉｏｎ）フォーマットを受信し、前記アップリンクＤＣＩフォーマットに対応するＰＵＳＣＨ（Ｐｈｙｓｉｃａｌ  Ｕｐｌｉｎｋ  Ｓｈａｒｅｄ  Ｃｈａｎｎｅｌ）信号をサブフレームで送信するように構成され、前記Ｎビットフィールドは、ＵＬ（Ｕｐｌｉｎｋ）インデックス、又はＤＡＩ（Ｄｏｗｎｌｉｎｋ  Ａｓｓｉｇｎｍｅｎｔ  Ｉｎｄｅｘ）のいずれか一つを表し、ＰＵＳＣＨタイミングのために、前記第２セルに適用される参照ＵＬ−ＤＬ構成がＵＬ−ＤＬ構成＃１〜＃６のいずれか一つである場合に、前記Ｎビットフィールドは前記ＤＡＩを表し、前記ＵＬ−ＤＬ構成によるサブフレーム構成は、下記の表のように与えられる端末が提供される：
【００１７】
【化４】
0005933753.tif 000005
ここで、Ｄはダウンリンクサブフレームを表し、Ｕはアップリンクサブフレームを表し、Ｓはスペシャルサブフレームを表す。
【００１８】
好適には、前記第１セルはＵＬ−ＤＬ構成＃１〜＃６のいずれか一つに設定される。
【００１９】
好適には、前記第１セルは、ＰＣｅｌｌ（Ｐｒｉｍａｒｙ  Ｃｅｌｌ）、又は前記第２セルに対するスケジューリングを行うセルであり、前記第２セルはＳＣｅｌｌ（Ｓｅｃｏｎｄａｒｙ  Ｃｅｌｌ）である。
【００２０】
好適には、前記アップリンクＤＣＩフォーマットはＣＩＦ（Ｃａｒｒｉｅｒ  Ｉｎｄｉｃａｔｏｒ  Ｆｉｅｌｄ）をさらに含む。
【００２１】
好適には、前記アップリンクＤＣＩフォーマットは、ＤＣＩフォーマット０又は４を含む。
【００２２】
好適には、前記ＤＡＩは、前記ＰＵＳＣＨ信号に含まれたＨＡＲＱ−ＡＣＫ（Ｈｙｂｒｉｄ  Ａｕｔｏｍａｔｉｃ  Ｒｅｐｅａｔ  ｒｅＱｕｅｓｔ  Ａｃｋｎｏｗｌｅｄｇｅｍｅｎｔ）ペイロードを生成するのに用いれる。
【００２３】
好適には、ＰＵＳＣＨタイミングのために、前記第２セルに適用される参照ＵＬ−ＤＬ構成がＵＬ−ＤＬ構成＃０である場合に、前記Ｎビットフィールドは前記ＵＬインデックスを指示し、前記ＵＬインデックスは前記サブフレームのインデックスを決定するのに用いれる。
例えば、本願発明は以下の項目を提供する。
（項目１）
ＣＡ（Ｃａｒｒｉｅｒ  Ａｇｇｒｅｇａｔｉｏｎ）ベースの無線通信システムにおいて端末が制御情報を送信する方法であって、
互いに異なるサブフレーム構成を持つ第１セルと第２セルを構成し、前記第２セルはＵＬ−ＤＬ構成（Ｕｐｌｉｎｋ  Ｄｏｗｎｌｉｎｋ  Ｃｏｎｆｉｇｕｒａｔｉｏｎ）＃０に設定することと、
前記第２セルのために、Ｎビットフィールド（Ｎ＞１）を含むアップリンクＤＣＩ（Ｄｏｗｎｌｉｎｋ  Ｃｏｎｔｒｏｌ  Ｉｎｆｏｒｍａｔｉｏｎ）フォーマットを受信することと、
前記アップリンクＤＣＩフォーマットに対応するＰＵＳＣＨ（Ｐｈｙｓｉｃａｌ  Ｕｐｌｉｎｋ  Ｓｈａｒｅｄ  Ｃｈａｎｎｅｌ）信号をサブフレームで送信することと、
を含み、
前記Ｎビットフィールドは、ＵＬ（Ｕｐｌｉｎｋ）インデックス又はＤＡＩ（Ｄｏｗｎｌｉｎｋ  Ａｓｓｉｇｎｍｅｎｔ  Ｉｎｄｅｘ）のいずれかを表し、
ＰＵＳＣＨタイミングのために、前記第２セルに適用される参照ＵＬ−ＤＬ構成がＵＬ−ＤＬ構成＃１〜＃６のいずれか一つである場合、前記Ｎビットフィールドは前記ＤＡＩを表し、
前記ＵＬ−ＤＬ構成によるサブフレーム構成は、下記の表のように与えられる方法：
【化５】
0005933753.tif 000006
ここで、Ｄはダウンリンクサブフレームを表し、Ｕはアップリンクサブフレームを表し、Ｓはスペシャルサブフレームを表す。
（項目２）
前記第１セルは、ＵＬ−ＤＬ構成＃１〜＃６のいずれか一つに設定された、項目１に記載の方法。
（項目３）
前記第１セルは、ＰＣｅｌｌ（Ｐｒｉｍａｒｙ  Ｃｅｌｌ）、又は前記第２セルに対するスケジューリングを行うセルであり、前記第２セルは、ＳＣｅｌｌ（Ｓｅｃｏｎｄａｒｙ  Ｃｅｌｌ）である、項目２に記載の方法。
（項目４）
前記アップリンクＤＣＩフォーマットは、ＣＩＦ（Ｃａｒｒｉｅｒ  Ｉｎｄｉｃａｔｏｒ  Ｆｉｅｌｄ）をさらに含む、項目３に記載の方法。
（項目５）
前記アップリンクＤＣＩフォーマットは、ＤＣＩフォーマット０又は４を含む、項目４に記載の方法。
（項目６）
前記ＤＡＩは、前記ＰＵＳＣＨ信号に含まれたＨＡＲＱ−ＡＣＫ（Ｈｙｂｒｉｄ  Ａｕｔｏｍａｔｉｃ  Ｒｅｐｅａｔ  ｒｅＱｕｅｓｔ  Ａｃｋｎｏｗｌｅｄｇｅｍｅｎｔ）ペイロードを生成するのに用いれる、項目１に記載の方法。
（項目７）
ＰＵＳＣＨタイミングのために、前記第２セルに適用される参照ＵＬ−ＤＬ構成がＵＬ−ＤＬ構成＃０である場合に、前記Ｎビットフィールドは前記ＵＬインデックスを指示し、
前記ＵＬインデックスは前記サブフレームのインデックスを決定するのに用いれる、項目１に記載の方法。
（項目８）
ＣＡ（Ｃａｒｒｉｅｒ  Ａｇｇｒｅｇａｔｉｏｎ）ベースの無線通信システムに用いれる端末であって、
ＲＦ（Ｒａｄｉｏ  Ｆｒｅｑｕｅｎｃｙ）ユニットと、
プロセッサと、
を備え、前記プロセッサは
互いに異なるサブフレーム構成を持つ第１セルと第２セルを構成し、該第２セルはＵＬ−ＤＬ構成（Ｕｐｌｉｎｋ  Ｄｏｗｎｌｉｎｋ  Ｃｏｎｆｉｇｕｒａｔｉｏｎ）＃０に設定し、
第２セルのために、Ｎビットフィールド（Ｎ＞１）を含むアップリンクＤＣＩ（Ｄｏｗｎｌｉｎｋ  Ｃｏｎｔｒｏｌ  Ｉｎｆｏｒｍａｔｉｏｎ）フォーマットを受信し、
前記アップリンクＤＣＩフォーマットに対応するＰＵＳＣＨ（Ｐｈｙｓｉｃａｌ  Ｕｐｌｉｎｋ  Ｓｈａｒｅｄ  Ｃｈａｎｎｅｌ）信号をサブフレームを通じて送信するように構成され、
前記Ｎビットフィールドは、ＵＬ（Ｕｐｌｉｎｋ）インデックス又はＤＡＩ（Ｄｏｗｎｌｉｎｋ  Ａｓｓｉｇｎｍｅｎｔ  Ｉｎｄｅｘ）のいずれかを表し、
ＰＵＳＣＨタイミングのために、前記第２セルに適用される参照ＵＬ−ＤＬ構成がＵＬ−ＤＬ構成＃１〜＃６のいずれか一つである場合に、前記Ｎビットフィールドは前記ＤＡＩを表し、
前記ＵＬ−ＤＬ構成によるサブフレーム構成は、下記の表のように与えられる端末：
【化６】
0005933753.tif 000007
ここで、Ｄはダウンリンクサブフレームを表し、Ｕはアップリンクサブフレームを表し、Ｓはスペシャルサブフレームを表す。
（項目９）
前記第１セルは、ＵＬ−ＤＬ構成＃１〜＃６のいずれか一つに設定された、項目８に記載の端末。
（項目１０）
前記第１セルは、ＰＣｅｌｌ（Ｐｒｉｍａｒｙ  Ｃｅｌｌ）、又は前記第２セルに対するスケジューリングを行うセルであり、前記第２セルはＳＣｅｌｌ（Ｓｅｃｏｎｄａｒｙ  Ｃｅｌｌ）である、項目９に記載の端末。
（項目１１）
前記アップリンクＤＣＩフォーマットは、ＣＩＦ（Ｃａｒｒｉｅｒ  Ｉｎｄｉｃａｔｏｒ  Ｆｉｅｌｄ）をさらに含む、項目１０に記載の端末。
（項目１２）
前記アップリンクＤＣＩフォーマットは、ＤＣＩフォーマット０又は４を含む、項目１１に記載の端末。
（項目１３）
前記ＤＡＩは、前記ＰＵＳＣＨ信号に含まれたＨＡＲＱ−ＡＣＫ（Ｈｙｂｒｉｄ  Ａｕｔｏｍａｔｉｃ  Ｒｅｐｅａｔ  ｒｅＱｕｅｓｔ  Ａｃｋｎｏｗｌｅｄｇｅｍｅｎｔ）ペイロードを生成するのに用いれる、項目８に記載の端末。
（項目１４）
ＰＵＳＣＨタイミングのために、前記第２セルに適用される参照ＵＬ−ＤＬ構成がＵＬ−ＤＬ構成＃０である場合に、前記Ｎビットフィールドは前記ＵＬインデックスを指示し、
前記ＵＬインデックスは前記サブフレームのインデックスを決定するのに用いれる、項目８に記載の端末。
【発明の効果】
【００２４】
本発明によれば、ＣＡベースの無線通信システムにおいて制御情報を效率よく送信することが可能になる。また、ダウンリンク／アップリンク信号に関する受信応答情報を效率よく送信／受信することが可能になる。
【００２５】
本発明で得られる効果は、以上で言及した効果に制限されず、言及していない他の効果は、下の記載から、本発明の属する技術の分野における通常の知識を有する者には明確に理解されるであろう。
【図面の簡単な説明】
【００２６】
本発明に関する理解を助けるために詳細な説明の一部として含まれる添付図面は、本発明の実施例を提供し、詳細な説明と共に本発明の技術的思想を説明する。
【図１】図１は、ＣＡベースの無線通信システムを例示する図である。
【図２】図２は、無線フレーム（ｒａｄｉｏ  ｆｒａｍｅ）の構造を例示する図である。
【図３】図３は、ダウンリンクスロットのリソースグリッドを例示する図である。
【図４】図４は、ダウンリンクサブフレームの構造を示す図である。
【図５】図５は、複数のセルが構成された場合のスケジューリング方法を例示する図である。
【図６】図６は、アップリンクサブフレームの構造を例示する図である。
【図７】図７は、ＰＵＣＣＨ（Ｐｈｙｓｉｃａｌ  Ｕｐｌｉｎｋ  Ｃｏｎｔｒｏｌ  Ｃｈａｎｎｅｌ）フォーマット１ａ及び１ｂのスロットレベル構造を例示する図である。
【図８】図８は、ＰＵＣＣＨフォーマット３のスロットレベル構造を例示する図である。
【図９】図９は、ＰＵＳＣＨ（Ｐｈｙｓｉｃａｌ  Ｕｐｌｉｎｋ  Ｓｈａｒｅｄ  Ｃｈａｎｎｅｌ）を通じてアップリンク制御情報を送信する方法を例示する図である。
【図１０】図１０及び図１１は、ＴＤＤ（Ｔｉｍｅ  Ｄｉｖｉｓｉｏｎ  Ｄｕｐｌｅｘ）と構成されたセルのＵＬ  ＡＣＫ／ＮＡＣＫ（Ｕｐｌｉｎｋ  Ａｃｋｎｏｗｌｅｄｇｅｍｅｎｔ／Ｎｅｇａｔｉｖｅ  Ａｃｋｎｏｗｌｅｄｇｅｍｅｎｔ）送信タイミングを例示する図である。
【図１１】図１０及び図１１は、ＴＤＤ（Ｔｉｍｅ  Ｄｉｖｉｓｉｏｎ  Ｄｕｐｌｅｘ）と構成されたセルのＵＬ  ＡＣＫ／ＮＡＣＫ（Ｕｐｌｉｎｋ  Ａｃｋｎｏｗｌｅｄｇｅｍｅｎｔ／Ｎｅｇａｔｉｖｅ  Ａｃｋｎｏｗｌｅｄｇｅｍｅｎｔ）送信タイミングを例示する図である。
【図１２】図１２乃至図１５は、ＴＤＤと構成されたセルのＵＬグラント／ＰＨＩＣＨ（Ｐｈｙｓｉｃａｌ  Ｈｙｂｒｉｄ  ＡＲＱ  Ｉｎｄｉｃａｔｏｒ  Ｃｈａｎｎｅｌ）送信タイミングを例示する図である。
【図１３】図１２乃至図１５は、ＴＤＤと構成されたセルのＵＬグラント／ＰＨＩＣＨ（Ｐｈｙｓｉｃａｌ  Ｈｙｂｒｉｄ  ＡＲＱ  Ｉｎｄｉｃａｔｏｒ  Ｃｈａｎｎｅｌ）送信タイミングを例示する図である。
【図１４】図１２乃至図１５は、ＴＤＤと構成されたセルのＵＬグラント／ＰＨＩＣＨ（Ｐｈｙｓｉｃａｌ  Ｈｙｂｒｉｄ  ＡＲＱ  Ｉｎｄｉｃａｔｏｒ  Ｃｈａｎｎｅｌ）送信タイミングを例示する図である。
【図１５】図１２乃至図１５は、ＴＤＤと構成されたセルのＵＬグラント／ＰＨＩＣＨ（Ｐｈｙｓｉｃａｌ  Ｈｙｂｒｉｄ  ＡＲＱ  Ｉｎｄｉｃａｔｏｒ  Ｃｈａｎｎｅｌ）送信タイミングを例示する図である。
【図１６】図１６は、ＤＡＩ（Ｄｏｗｎｌｉｎｋ  Ａｓｓｉｇｎｍｅｎｔ  Ｉｎｄｅｘ）を用いてＡＣＫ／ＮＡＣＫ送信過程を行う方法を例示する図である。
【図１７】図１７は、ＨＤ（Ｈａｌｆ  Ｄｕｐｌｅｘ）−ＴＤＤ  ＣＡ方式を例示する図である。
【図１８】図１８は、ＦＤ（Ｆｕｌｌ  Ｄｕｐｌｅｘ）−ＴＤＤ  ＣＡ方式を例示する図である。
【図１９】図１９は、本発明の一実施例に係る制御情報送信過程を例示する図である。
【図２０】図２０は、本発明の一実施例に係るＵＬ信号送信過程を例示する図である。
【図２１】図２１は、本発明の実施例に適用することができる基地局及び端末を例示する図である。
【発明を実施するための形態】
【００２７】
以下の技術は、ＣＤＭＡ、ＦＤＭＡ、ＴＤＭＡ、ＯＦＤＭＡ、ＳＣ−ＦＤＭＡなどのような種々の無線接続システムに用いることができる。ＣＤＭＡは、ＵＴＲＡ（Ｕｎｉｖｅｒｓａｌ  Ｔｅｒｒｅｓｔｒｉａｌ  Ｒａｄｉｏ  Ａｃｃｅｓｓ）やＣＤＭＡ２０００のような無線技術（ｒａｄｉｏ  ｔｅｃｈｎｏｌｏｇｙ）によって実現することができる。ＴＤＭＡは、ＧＳＭ（登録商標）（Ｇｌｏｂａｌ  Ｓｙｓｔｅｍ  ｆｏｒ  Ｍｏｂｉｌｅ  ｃｏｍｍｕｎｉｃａｔｉｏｎｓ）／ＧＰＲＳ（Ｇｅｎｅｒａｌ  Ｐａｃｋｅｔ  Ｒａｄｉｏ  Ｓｅｒｖｉｃｅ）／ＥＤＧＥ（Ｅｎｈａｎｃｅｄ  Ｄａｔａ  Ｒａｔｅｓ  ｆｏｒ  ＧＳＭ  Ｅｖｏｌｕｔｉｏｎ）のような無線技術によって実現することができる。ＯＦＤＭＡは、ＩＥＥＥ  ８０２．１１（Ｗｉ−Ｆｉ）、ＩＥＥＥ  ８０２．１６（ＷｉＭＡＸ）、ＩＥＥＥ  ８０２−２０、Ｅ−ＵＴＲＡ（Ｅｖｏｌｖｅｄ  ＵＴＲＡ）などのような無線技術によって実現することができる。ＵＴＲＡは、ＵＭＴＳ（Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ）の一部である。３ＧＰＰ（３ｒｄ  Ｇｅｎｅｒａｔｉｏｎ  Ｐａｒｔｎｅｒｓｈｉｐ  Ｐｒｏｊｅｃｔ）  ＬＴＥ（Ｌｏｎｇ  Ｔｅｒｍ  Ｅｖｏｌｕｔｉｏｎ）は、Ｅ−ＵＴＲＡを用いるＥ−ＵＭＴＳ（Ｅｖｏｌｖｅｄ  ＵＭＴＳ）の一部であり、ＬＴＥ−Ａ（Ａｄｖａｎｃｅｄ）は３ＧＰＰ  ＬＴＥの進展したバージョンである。
【００２８】
説明を明確にするために、３ＧＰＰ  ＬＴＥ／ＬＴＥ−Ａを中心に記述するが、本発明の技術的思想がこれに制限されるものではない。また、以下の説明で使用する特定用語は、本発明の理解を助けるために提供されたものであり、このような特定用語は、本発明の技術的思想から逸脱しない範囲で他の形態に変更することもできる。
【００２９】
無線通信システムにおいて、端末は基地局からダウンリンク（ＤＬ）を通じて情報を受信し、端末は基地局にアップリンク（ＵＬ）を通じて情報を送信する。ＬＴＥ（−Ａ）においてダウンリンクではＯＦＤＭＡが用いられ、アップリンクではＳＣ−ＦＤＭＡ（Ｓｉｎｇｌｅ  Ｃａｒｒｉｅｒ  Ｆｒｅｑｕｅｎｃｙ  Ｄｉｖｉｓｉｏｎ  Ｍｕｌｔｉｐｌｅ  Ａｃｃｅｓｓ）が用いられる。
【００３０】
まず、本明細書で使用する用語について整理する。
【００３１】
●ＨＡＲＱ−ＡＣＫ（Ｈｙｂｒｉｄ  Ａｕｔｏｍａｔｉｃ  Ｒｅｐｅａｔ  ｒｅＱｕｅｓｔ  Ａｃｋｎｏｗｌｅｄｇｅｍｅｎｔ）：ダウンリンク送信（例、ＰＤＳＣＨ（Ｐｈｙｓｉｃａｌ  Ｄｏｗｎｌｉｎｋ  Ｓｈａｒｅｄ  Ｃｈａｎｎｅｌ）或いはＳＰＳ解除ＰＤＣＣＨ（Ｓｅｍｉ−Ｐｅｒｓｉｓｔｅｎｔ  Ｓｃｈｅｄｕｌｉｎｇ  ｒｅｌｅａｓｅ  Ｐｈｙｓｉｃａｌ  Ｄｏｗｎｌｉｎｋ  Ｃｏｎｔｒｏｌ  Ｃｈａｎｎｅｌ））に対する受信応答の結果、すなわち、ＡＣＫ／ＮＡＣＫ（Ｎｅｇａｔｉｖｅ  ＡＣＫ）／ＤＴＸ（Ｄｉｓｃｏｎｔｉｎｕｏｕｓ  Ｔｒａｎｓｍｉｓｓｉｏｎ）応答（簡単に、ＡＣＫ／ＮＡＣＫ（応答）、Ａ／Ｎ（応答））を意味する。ＡＣＫ／ＮＡＣＫ応答は、ＡＣＫ、ＮＡＣＫ、ＤＴＸ又はＮＡＣＫ／ＤＴＸを表す。ＣＣ（Ｃｏｍｐｏｎｅｎｔ  Ｃａｒｒｉｅｒ）（又は、セル）に対するＨＡＲＱ−ＡＣＫ或いはＣＣのＨＡＲＱ−ＡＣＫは、当該ＣＣに関連した（例、当該ＣＣにスケジューリングされた）ダウンリンク送信に対するＡＣＫ／ＮＡＣＫ応答を表す。ＰＤＳＣＨは、伝送ブロック（ｔｒａｎｓｐｏｒｔ  ｂｌｏｃｋ）或いはコードワード（ｃｏｄｅｗｏｒｄ）に代替することができる。
【００３２】
●ＰＤＳＣＨ：ＤＬグラントＰＤＣＣＨに対応するＰＤＳＣＨ、及びＳＰＳ（Ｓｅｍｉ−Ｐｅｒｓｉｓｔｅｎｔ  Ｓｃｈｅｄｕｌｉｎｇ）ＰＤＳＣＨを含む。
【００３３】
●ＳＰＳ  ＰＤＳＣＨ：ＳＰＳによって半−静的に設定されたリソースを用いてＤＬ送信されるＰＤＳＣＨを意味する。ＳＰＳ  ＰＤＳＣＨは、対応するＤＬグラントＰＤＣＣＨがない。ＳＰＳ  ＰＤＳＣＨは、ＰＤＳＣＨ  ｗ／ｏ（ｗｉｔｈｏｕｔ）ＰＤＣＣＨと同じ意味で使われる。
【００３４】
●ＳＰＳ解除（ｒｅｌｅａｓｅ）ＰＤＣＣＨ：ＳＰＳ解除を指示するＰＤＣＣＨを意味する。端末は、ＳＰＳ解除ＰＤＣＣＨに対するＡＣＫ／ＮＡＣＫ情報をフィードバックする。
【００３５】
●ＤＡＩ（Ｄｏｗｎｌｉｎｋ  Ａｓｓｉｇｎｍｅｎｔ  Ｉｎｄｅｘ）：ＰＤＣＣＨを通じて送信されるＤＣＩに含まれる。ＤＡＩは、ＰＤＣＣＨの順序値又はカウンタ値を表すことができる。ＤＬグラントＰＤＣＣＨのＤＡＩフィールドが指示する値をＤＬ  ＤＡＩ（ＶＤＬＤＡＩ、簡単に、Ｖという）と称し、ＵＬグラントＰＤＣＣＨ内のＤＡＩフィールドが指示する値をＵＬ  ＤＡＩ（ＶＵＬＤＡＩ、ＷＵＬＤＡＩ、簡単に、Ｗという）と称する。
【００３６】
●ＰＣＣ（Ｐｒｉｍａｒｙ  Ｃｏｍｐｏｎｅｎｔ  Ｃａｒｒｉｅｒ）ＰＤＣＣＨ：ＰＣＣをスケジューリングするＰＤＣＣＨを意味する。すなわち、ＰＣＣ  ＰＤＣＣＨは、ＰＣＣ上のＰＤＳＣＨに対応するＰＤＣＣＨを意味する。ＰＣＣに対してクロスキャリアスケジューリングが許容されないと仮定すれば、ＰＣＣ  ＰＤＣＣＨはＰＣＣ上でのみ送信される。ＰＣＣはＰＣｅｌｌ（Ｐｒｉｍａｒｙ  Ｃｅｌｌ）と同じ意味で使われる。
【００３７】
●ＳＣＣ（Ｓｅｃｏｎｄａｒｙ  Ｃｏｍｐｏｎｅｎｔ  Ｃａｒｒｉｅｒ）ＰＤＣＣＨ：ＳＣＣをスケジューリングするＰＤＣＣＨを意味する。すなわち、ＳＣＣ  ＰＤＣＣＨは、ＳＣＣ上のＰＤＳＣＨに対応するＰＤＣＣＨを意味する。ＳＣＣに対してクロスキャリアスケジューリングが許容される場合、ＳＣＣ  ＰＤＣＣＨは、当該ＳＣＣではなく他のＣＣ（例、ＰＣＣ）上で送信することができる。ＳＣＣに対してクロスキャリアスケジューリングが許容されない場合、ＳＣＣ  ＰＤＣＣＨを当該ＳＣＣ上でのみ送信する。ＳＣＣは、ＳＣｅｌｌ（Ｓｅｃｏｎｄａｒｙ  Ｃｅｌｌ）と同じ意味で使われる。
【００３８】
●クロスキャリアスケジューリング：ＳＣＣをスケジューリングするＰＤＣＣＨが、当該ＳＣＣではなく他のＣＣ（例えば、ＰＣＣ）を通じて送信される動作を意味する。ＰＣＣ及びＳＣＣの２個のＣＣのみ存在する場合、ＰＣＣのみを通じて全てのＰＤＣＣＨをスケジューリング／送信することができる。
【００３９】
●非クロスキャリアスケジューリング（或いは、セルフスケジューリング）：各ＣＣをスケジューリングするＰＤＣＣＨが当該ＣＣを通じてスケジューリング／送信される動作を意味する。
【００４０】
図１は、キャリアアグリゲーション（ＣＡ）ベースの無線通信システムを例示する。ＬＴＥシステムは、一つのＤＬ／ＵＬ周波数ブロックのみをサポートするが、ＬＴＥ−Ａシステムは、より広い周波数帯域を用いるために、複数のＵＬ／ＤＬ周波数ブロックを束ねることによってより大きいＵＬ／ＤＬ帯域幅を用いるキャリアアグリゲーション技術を用いる。各周波数ブロックは、コンポーネントキャリア（ＣＣ）を用いて送信する。ＣＣは、当該周波数ブロックのためのキャリア周波数（又は、中心キャリア、中心周波数）と理解することができる。
【００４１】
図１を参照すると、キャリアアグリゲーション技術は、複数のＵＬ／ＤＬ  ＣＣを束ねてより広いＵＬ／ＤＬ帯域幅をサポートすることができる。これらＣＣは、周波数ドメインにおいて互いに隣接していてもよく、隣接していなくてもよい。各ＣＣの帯域幅は、独立して定めることができる。ＵＬ  ＣＣの個数とＤＬ  ＣＣの個数とが異なる非対称キャリアアグリゲーションも可能である。例えば、ＤＬ  ＣＣ  ２個、ＵＬ  ＣＣ  １個とある場合は、２：１で対応するように構成することができる。ＤＬ  ＣＣ／ＵＬ  ＣＣリンクは、システムに固定されていてもよく、半−静的に構成されてもよい。また、システム全体帯域がＮ個のＣＣで構成されても、特定端末が使用できる周波数帯域は、Ｌ（＜Ｎ）個のＣＣに限定することができる。キャリアアグリゲーションに関する様々なパラメータは、セル特定（ｃｅｌｌ−ｓｐｅｃｉｆｉｃ）、端末グループ特定（ＵＥ  ｇｒｏｕｐ−ｓｐｅｃｉｆｉｃ）又は端末特定（ＵＥ−ｓｐｅｃｉｆｉｃ）の方式で設定することができる。一方、制御情報は特定ＣＣのみを通じて送受信されるように設定することができる。このような特定ＣＣをプライマリＣＣ（ＰＣＣ）（又はアンカーＣＣ）と称し、残りＣＣをセカンダリＣＣ（ＳＣＣ）と称することができる。
【００４２】
ＬＴＥ（−Ａ）は、無線リソースの管理のためにセル（ｃｅｌｌ）の概念を用いる。セルは、ＤＬリソースとＵＬリソースとの組合せで定義し、ＵＬリソースは必須要素ではない。そのため、ＤＬリソース単独、又はＤＬリソース及びＵＬリソースによってセルを構成することができる。キャリアアグリゲーションがサポートされる場合、ＤＬリソースのキャリア周波数（又は、ＤＬ  ＣＣ）とＵＬリソースのキャリア周波数（又は、ＵＬ  ＣＣ）間のリンケージ（ｌｉｎｋａｇｅ）は、システム情報によって指示することができる。プライマリ周波数（又は、ＰＣＣ）上で動作するセルをプライマリセル（ＰＣｅｌｌ）と呼び、セカンダリ周波数（又はＳＣＣ）上で動作するセルをセカンダリセル（ＳＣｅｌｌ）と呼ぶことができる。ＰＣｅｌｌは、端末が初期接続確立（ｉｎｉｔｉａｌ  ｃｏｎｎｅｃｔｉｏｎ  ｅｓｔａｂｌｉｓｈｍｅｎｔ）過程を行ったり、接続再確立過程を行うために用いる。ＰＣｅｌｌは、ハンドオーバー過程で指示されたセルを意味することもある。ＳＣｅｌｌは、基地局と端末間にＲＲＣ（Ｒａｄｉｏ  Ｒｅｓｏｕｒｃｅ  Ｃｏｎｔｒｏｌ）接続が確立された後に構成可能であり、追加の無線リソースを提供するために用いることができる。ＰＣｅｌｌ及びＳＣｅｌｌをサービングセルと総称することができる。したがって、ＲＲＣ＿ＣＯＮＮＥＣＴＥＤ状態にあるが、キャリアアグリゲーションが設定されていないか、キャリアアグリゲーションをサポートしない端末に対しては、ＰＣｅｌｌのみで構成されたサービングセルが一つのみ存在する。一方、ＲＲＣ＿ＣＯＮＮＥＣＴＥＤ状態にあると共に、キャリアアグリゲーションが設定された端末に対しては、一つのＰＣｅｌｌ及び一つ以上のＳＣｅｌｌを含む複数のサービングセルを構成することができる。
【００４３】
特に言及しない限り、以下の説明は、複数のＣＣ（又はセル）が束ねられた場合、それぞれのＣＣ（又はセル）に適用することができる。また、以下の説明においてＣＣは、サービングＣＣ、サービングキャリア、セル、サービングセルなどの用語にしてもよい。
【００４４】
図２は、無線フレーム（ｒａｄｉｏ  ｆｒａｍｅ）構造を例示する。
【００４５】
図２（ａ）には、ＦＤＤ（Ｆｒｅｑｕｅｎｃｙ  Ｄｉｖｉｓｉｏｎ  Ｄｕｐｌｅｘ）のためのタイプ１無線フレーム構造を例示する。無線フレームは、複数（例、１０個）のサブフレームを含み、サブフレームは時間ドメイン（ｔｉｍｅ  ｄｏｍａｉｎ）で複数（例、２個）のスロットを含む。サブフレーム長は１ｍｓ、スロット長は０．５ｍｓであってよい。スロットは、時間ドメインにおいて複数のＯＦＤＭ／ＳＣ−ＦＤＭＡシンボルを含み、周波数ドメインにおいて複数のリソースブロック（ＲＢ）を含む。
【００４６】
図２（ｂ）には、ＴＤＤ（Ｔｉｍｅ  Ｄｉｖｉｓｉｏｎ  Ｄｕｐｌｅｘ）のためのタイプ２無線フレーム構造を例示する。タイプ２無線フレームは、２個のハーフフレーム（ｈａｌｆ  ｆｒａｍｅ）を含み、ハーフフレームは５個のサブフレームを含む。サブフレームは２個のスロットを含む。
【００４７】
表１は、ＴＤＤモードにおいて無線フレーム内のサブフレームのＵＬ−ＤＬ構成（Ｕｐｌｉｎｋ−Ｄｏｗｎｌｉｎｋ  Ｃｏｎｆｉｇｕｒａｔｉｏｎ；ＵＬ−ＤＬ  Ｃｆｇ）を例示する。
【００４８】
【表１】
0005933753.tif 000008
表１で、Ｄはダウンリンクサブフレームを、Ｕはアップリンクサブフレームを、Ｓはスペシャルサブフレームを表す。スペシャルサブフレームは、ＤｗＰＴＳ（Ｄｏｗｎｌｉｎｋ  Ｐｉｌｏｔ  Ｔｉｍｅ  Ｓｌｏｔ）、ＧＰ（Ｇｕａｒｄ  Ｐｅｒｉｏｄ）、ＵｐＰＴＳ（Ｕｐｌｉｎｋ  Ｐｉｌｏｔ  Ｔｉｍｅ  Ｓｌｏｔ）を含む。ＤｗＰＴＳはＤＬ送信のための時間区間であり、ＵｐＰＴＳはＵＬ送信のための時間区間である。
【００４９】
図３は、ＤＬスロットのリソースグリッドを例示する。
【００５０】
図３を参照すると、ＤＬスロットは、時間ドメインにおいて複数のＯＦＤＭＡ（又はＯＦＤＭ）シンボルを含む。ＤＬスロットは、ＣＰ（Ｃｙｃｌｉｃ  Ｐｒｅｆｉｘ）長によって７（６）個のＯＦＤＭＡシンボルを含み、リソースブロックは、周波数ドメインで１２個の副搬送波を含むことができる。リソースグリッド上の各要素はリソース要素（Ｒｅｓｏｕｒｃｅ  Ｅｌｅｍｅｎ；ＲＥ）と呼ばれる。ＲＢは１２×７（６）個のＲＥを含む。ＤＬスロットに含まれるＲＢの個数ＮＲＢはＤＬ送信帯域に依存する。ＵＬスロットの構造は、ＤＬスロットの構造と同一であり、ただし、ＯＦＤＭＡシンボルがＳＣ−ＦＤＭＡシンボルに取り替えられる。
【００５１】
図４は、ＤＬサブフレームの構造を例示する。
【００５２】
図４を参照すると、サブフレームの１番目スロット先頭における最大３（４）個のＯＦＤＭＡシンボルは、制御チャネルが割り当てられる制御領域に該当する。残るＯＦＤＭＡシンボルは、ＰＤＳＣＨが割り当てられるデータ領域に該当する。ＤＬ制御チャネルは、ＰＣＦＩＣＨ（Ｐｈｙｓｉｃａｌ  Ｃｏｎｔｒｏｌ  Ｆｏｒｍａｔ  Ｉｎｄｉｃａｔｏｒ  Ｃｈａｎｎｅｌ）、ＰＤＣＣＨ（Ｐｈｙｓｉｃａｌ  Ｄｏｗｎｌｉｎｋ  Ｃｏｎｔｒｏｌ  Ｃｈａｎｎｅｌ）、ＰＨＩＣＨ（Ｐｈｙｓｉｃａｌ  ｈｙｂｒｉｄ  ＡＲＱ  ｉｎｄｉｃａｔｏｒ  Ｃｈａｎｎｅｌ）を含む。ＰＣＦＩＣＨは、サブフレームの最初のＯＦＤＭＡシンボルで送信され、サブフレーム内で制御チャネルの送信に用いれるＯＦＤＭＡシンボルの個数に関する情報を運ぶ。ＰＨＩＣＨは、ＵＬ送信に対する応答としてＨＡＲＱ−ＡＣＫ信号を運ぶ。
【００５３】
ＰＤＣＣＨは、ダウンリンク共有チャネル（Ｄｏｗｎｌｉｎｋ  Ｓｈａｒｅｄ  ＣＨａｎｎｅｌ；ＤＬ−ＳＣＨ）の送信フォーマット及びリソース割当情報、アップリンク共有チャネル（Ｕｐｌｉｎｋ  Ｓｈａｒｅｄ  ＣＨａｎｎｅｌ；ＵＬ−ＳＣＨ）の送信フォーマット及びリソース割当情報、ページングチャネル（Ｐａｇｉｎｇ  ＣＨａｎｎｅｌ；ＰＣＨ）上のページング情報、ＤＬ−ＳＣＨ上のシステム情報、ＰＤＳＣＨ上で送信されるランダムアクセス応答のような上位層制御メッセージのリソース割当情報、端末グループ内の個別端末へのＴｘ電力制御命令セット、Ｔｘ電力制御命令、ＶｏＩＰ（Ｖｏｉｃｅ  ｏｖｅｒ  ＩＰ）の活性化指示情報などを運ぶ。
【００５４】
ＰＤＣＣＨを通じてＤＣＩ（Ｄｏｗｎｌｉｎｋ  Ｃｏｎｔｒｏｌ  Ｉｎｆｏｒｍａｔｉｏｎ）が送信される。ＵＬスケジューリング（又はＵＬグラント）のためにＤＣＩフォーマット０／４（以下、ＵＬ  ＤＣＩフォーマット）、ＤＬスケジューリングのためにＤＣＩフォーマット１／１Ａ／１Ｂ／１Ｃ／１Ｄ／２／２Ａ／２Ｂ／２Ｃ（以下、ＤＬ  ＤＣＩフォーマット）が定義されている。ＤＣＩフォーマットはホップフラグ、ＲＢ割当情報、ＭＣＳ（Ｍｏｄｕｌａｔｉｏｎ  Ｃｏｄｉｎｇ  Ｓｃｈｅｍｅ）、ＲＶ（Ｒｅｄｕｎｄａｎｃｙ  Ｖｅｒｓｉｏｎ）、ＮＤＩ（Ｎｅｗ  Ｄａｔａ  Ｉｎｄｉｃａｔｏｒ）、ＴＰＣ（Ｔｒａｎｓｍｉｔ  Ｐｏｗｅｒ  Ｃｏｎｔｒｏｌ）、ＤＭＲＳ（ＤｅＭｏｄｕｌａｔｉｏｎ  Ｒｅｆｅｒｅｎｃｅ  Ｓｉｇｎａｌ）、サイクリックシフトなどの情報を、用途によって選択的に含む。
【００５５】
複数のＰＤＣＣＨが制御領域内で送信されることがあり、端末は、自身に指示されたＰＤＣＣＨを確認するために毎サブフレームごとに複数のＰＤＣＣＨをモニタリングする。ＰＤＣＣＨは、一つ以上のＣＣＥ（Ｃｏｎｔｒｏｌ  Ｃｈａｎｎｅｌ  Ｅｌｅｍｅｎｔ）を通じて送信される。ＰＤＣＣＨ送信に用いれるＣＣＥ個数（すなわち、ＣＣＥアグリゲーションレベル）によってＰＤＣＣＨコーディングレートを調節することができる。ＣＣＥはＲＥＧ（Ｒｅｓｏｕｒｃｅ  Ｅｌｅｍｅｎｔ  Ｇｒｏｕｐ）を含む。ＰＤＣＣＨのフォーマット及びＰＤＣＣＨビットの個数は、ＣＣＥ個数によって決定する。基地局は、端末に送信するＤＣＩによってＰＤＣＣＨフォーマットを決定し、制御情報にＣＲＣ（Ｃｙｃｌｉｃ  Ｒｅｄｕｎｄａｎｃｙ  Ｃｈｅｃｋ）を付加する。ＣＲＣは、ＰＤＣＣＨの所有者又は使用目的によって識別子（例、ＲＮＴＩ（Ｒａｄｉｏ  Ｎｅｔｗｏｒｋ  Ｔｅｍｐｏｒａｒｙ  Ｉｄｅｎｔｉｆｉｅｒ））でマスキングする。例えば、ＰＤＣＣＨが特定端末のためのものであれば、当該端末の識別子（例、Ｃｅｌｌ−ＲＮＴＩ（Ｃ−ＲＮＴＩ））をＣＲＣにマスキングすることができる。ＰＤＣＣＨがページングメッセージのためのものであれば、ページング識別子（例、Ｐａｇｉｎｇ−ＲＮＴＩ（Ｐ−ＲＮＴＩ））をＣＲＣにマスキングすることができる。ＰＤＣＣＨがシステム情報（より具体的に、システム情報ブロック（Ｓｙｓｔｅｍ  Ｉｎｆｏｒｍａｔｉｏｎ  Ｂｌｏｃｋ；ＳＩＢ））のためのものであれば、ＳＩ−ＲＮＴＩ（Ｓｙｓｔｅｍ  Ｉｎｆｏｒｍａｔｉｏｎ  ＲＮＴＩ）をＣＲＣにマスキングすることができる。ＰＤＣＣＨがランダムアクセス応答のためのものであれば、ＲＡ−ＲＮＴＩ（Ｒａｎｄｏｍ  Ａｃｃｅｓｓ−ＲＮＴＩ）をＣＲＣにマスキングすることができる。
【００５６】
次に、複数のＣＣ（又はセル）が構成された場合のスケジューリングについて説明する。複数のＣＣが構成された場合、クロスキャリアスケジューリング方式と非クロスキャリアスケジューリング（又は、セルフスケジューリング）方式を用いることができる。非クロスキャリアスケジューリング（又は、セルフスケジューリング）方式は、既存ＬＴＥにおけるスケジューリング方式と同一である。
【００５７】
クロスキャリアスケジューリングが適用される場合、ＤＬグラントＰＤＣＣＨは、ＤＬ  ＣＣ＃０上で送信され、対応するＰＤＳＣＨはＤＬ  ＣＣ＃２上で送信されることがある。同様に、ＵＬグラントＰＤＣＣＨはＤＬ  ＣＣ＃０上で送信され、対応するＰＵＳＣＨはＵＬ  ＣＣ＃４上で送信されることがある。クロスキャリアスケジューリングのために、キャリア指示フィールド（Ｃａｒｒｉｅｒ  Ｉｎｄｉｃａｔｏｒ  Ｆｉｅｌｄ；ＣＩＦ）を用いる。ＰＤＣＣＨ内でＣＩＦ存在の有無は、上位層シグナリング（例、ＲＲＣシグナリング）によって半−静的及び端末−特定（又は、端末グループ−特定）方式で設定することができる。
【００５８】
ＣＩＦ設定によるスケジューリングを下記のように整理することができる。
【００５９】
−  ＣＩＦディスエイブルド（ｄｉｓａｂｌｅｄ）：ＤＬ  ＣＣ上のＰＤＣＣＨは、同ＤＬ  ＣＣ上のＰＤＳＣＨリソースを割り当てたり、一つのリンクされたＵＬ  ＣＣ上のＰＵＳＣＨリソースを割り当てる。
【００６０】
−  ＣＩＦイネイブルド（ｅｎａｂｌｅｄ）：ＤＬ  ＣＣ上のＰＤＣＣＨは、ＣＩＦを用いて複数の束ねられたＤＬ／ＵＬ  ＣＣのうち、特定ＤＬ／ＵＬ  ＣＣ上のＰＤＳＣＨ又はＰＵＳＣＨリソースを割り当てることができる。
【００６１】
ＣＩＦが存在する場合、基地局は端末に一つ以上のＰＤＣＣＨモニタリングＤＬ  ＣＣ（以下、Ｍｏｎｉｔｏｒｉｎｇ  ＣＣ；ＭＣＣ）を割り当てることができる。端末はＭＣＣでのみＰＤＣＣＨの検出／デコーディングを行うことができる。すなわち、基地局が端末にＰＤＳＣＨ／ＰＵＳＣＨをスケジューリングする場合、ＰＤＣＣＨはＭＣＣ上でのみ送信される。ＭＣＣは、端末−特定（ＵＥ−ｓｐｅｃｉｆｉｃ）、端末グループ−特定、又はセル−特定（ｃｅｌｌ−ｓｐｅｃｉｆｉｃ）方式で設定することができる。ＭＣＣはＰＣＣを含む。
【００６２】
図５は、クロスキャリアスケジューリングを例示する。同図は、ＤＬスケジューリングを例示しているが、例示された事項はＵＬスケジューリングにも同様に適用される。
【００６３】
図５を参照すると、端末に３個のＤＬ  ＣＣを構成し、ＤＬ  ＣＣ  ＡをＰＤＣＣＨモニタリングＤＬ  ＣＣ（すなわち、ＭＣＣ）に設定することができる。ＣＩＦがティスエイブルされた場合、それぞれのＤＬ  ＣＣはＬＴＥ  ＰＤＣＣＨ規則に従ってＣＩＦなしに自身のＰＤＳＣＨをスケジューリングするＰＤＣＣＨのみを送信することができる。一方、ＣＩＦがイネイブルされた場合、ＤＬ  ＣＣ  Ａ（すなわち、ＭＣＣ）はＣＩＦを用いて、ＤＬ  ＣＣ  ＡのＰＤＳＣＨをスケジューリングするＰＤＣＣＨに加え、他のＣＣのＰＤＳＣＨをスケジューリングするＰＤＣＣＨも送信することができる。本例において、ＤＬ  ＣＣ  Ｂ／ＣではＰＤＣＣＨが送信されない。
【００６４】
図６は、ＵＬサブフレームの構造を例示する。
【００６５】
図６を参照すると、ＵＬサブフレームは、複数（例、２個）のスロットを含む。スロットはＣＰ長によって異なる個数のＳＣ−ＦＤＭＡシンボルを含むことがある。ＵＬサブフレームは、周波数ドメインにおいてデータ領域と制御領域とに区別される。データ領域は、ＰＵＳＣＨ（Ｐｈｙｓｉｃａｌ  Ｕｐｌｉｎｋ  Ｓｈａｒｅｄ  Ｃｈａｎｎｅｌ）を通じて音声などのデータ信号を送信するために用いれる。制御領域は、ＰＵＣＣＨ（Ｐｈｙｓｉｃａｌ  Ｕｐｌｉｎｋ  Ｃｏｎｔｒｏｌ  Ｃｈａｎｎｅｌ）を通じてＵＣＩ（Ｕｐｌｉｎｋ  Ｃｏｎｔｒｏｌ  Ｉｎｆｏｒｍａｔｉｏｎ）を送信するために用いれる。ＰＵＣＣＨは、周波数軸においてデータ領域の両端部に位置しているＲＢ対（ＲＢ  ｐａｉｒ）を含み、スロットを境界にホップする。
【００６６】
ＰＵＣＣＨは、下記の制御情報を送信するために用いることができる。
【００６７】
−  ＳＲ（Ｓｃｈｅｄｕｌｉｎｇ  Ｒｅｑｕｅｓｔ）：ＵＬ−ＳＣＨ（Ｓｈａｒｅｄ  Ｃｈａｎｎｅｌ）リソースを要請するために用いられる情報である。ＯＯＫ（Ｏｎ−Ｏｆｆ  Ｋｅｙｉｎｇ）方式を用いて送信される。
【００６８】
−  ＨＡＲＱ−ＡＣＫ：ＤＬ信号（例、ＰＤＳＣＨ、ＳＰＳ解除ＰＤＣＣＨ）に対する受信応答信号である。一例として、１つのＤＬコードワードに対する応答としてＡＣＫ／ＮＡＣＫ  １ビットが送信され、２つのＤＬコードワードに対する応答としてＡＣＫ／ＮＡＣＫ  ２ビットが送信される。
【００６９】
−  ＣＳＩ（Ｃｈａｎｎｅｌ  Ｓｔａｔｕｓ  Ｉｎｆｏｒｍａｔｏｎ）：ＤＬチャネルに関するフィードバック情報である。ＣＳＩは、ＣＱＩ（Ｃｈａｎｎｅｌ  Ｑｕａｌｉｔｙ  Ｉｎｆｏｒｍａｔｉｏｎ）、ＲＩ（Ｒａｎｋ  Ｉｎｄｉｃａｔｏｒ）、ＰＭＩ（Ｐｒｅｃｏｄｉｎｇ  Ｍａｔｒｉｘ  Ｉｎｄｉｃａｔｏｒ）、ＰＴＩ（Ｐｒｅｃｏｄｉｎｇ  Ｔｙｐｅ  Ｉｎｄｉｃａｔｏｒ）などを含む。
【００７０】
表２は、ＬＴＥ（−Ａ）においてＰＵＣＣＨフォーマットとＵＣＩとのマップ関係を表すものである。
【００７１】
【表２】
0005933753.tif 000009
図７は、スロットレベルでＰＵＣＣＨフォーマット１ａ及び１ｂの構造を示す図である。ＰＵＣＣＨフォーマット１ａ及び１ｂは、同一内容の制御情報がサブフレーム内でスロット単位に反復される。異なった端末のＡＣＫ／ＮＡＣＫ信号は、ＣＧ−ＣＡＺＡＣ（Ｃｏｍｐｕｔｅｒ−Ｇｅｎｅｒａｔｅｄ  Ｃｏｎｓｔａｎｔ  Ａｍｐｌｉｔｕｄｅ  Ｚｅｒｏ  Ａｕｔｏ  Ｃｏｒｒｅｌａｔｉｏｎ）シーケンスの互いに異なるＣＳ（Ｃｙｃｌｉｃ  Ｓｈｉｆｔ）（周波数ドメインコード）とＯＣＣ（Ｏｒｔｈｏｇｏｎａｌ  Ｃｏｖｅｒ  Ｃｏｄｅ）（時間ドメイン拡散コード）で構成された互いに異なるリソースを通じて送信される。ＯＣＣは、ウォルシュ（Ｗａｌｓｈ）／ＤＦＴ直交コードを含む。ＣＳの個数が６個、ＯＣの個数が３個の場合に、１８個の端末のＡＣＫ／ＮＡＣＫ信号を同一のＰＲＢ（Ｐｈｙｓｉｃａｌ  Ｒｅｓｏｕｒｃｅ  Ｂｌｏｃｋ）内に多重化することができる。
【００７２】
図８は、スロットレベルのＰＵＣＣＨフォーマット３の構造を例示する。ＰＵＣＣＨフォーマット３は、複数のＡＣＫ／ＮＡＣＫ情報を送信するために用いられ、ＳＲなどの情報を併せて送信できる。
【００７３】
図８を参照すると、一つのシンボルシーケンスを周波数領域にわたって送信し、当該シンボルシーケンスに対してＯＣＣベースの時間ドメイン拡散を適用する。ＯＣＣを用いて同一ＲＢに複数の端末の制御信号を多重化することができる。具体的に、長さ５のＯＣＣ（Ｃ１〜Ｃ５）を用いて一つのシンボルシーケンス｛ｄ１，ｄ２，…｝から５個のＳＣ−ＦＤＭＡシンボル（すなわち、ＵＣＩデータパート）を生成する。ここで、シンボルシーケンス｛ｄ１，ｄ２，…｝は、変調シンボルシーケンス又はコードワードビットシーケンスを意味できる。シンボルシーケンス｛ｄ１，ｄ２，…｝は、ジョイントコーディング（例、Ｒｅｅｄ−Ｍｕｌｌｅｒ  ｃｏｄｅ、Ｔａｉｌ−ｂｉｔｉｎｇ  ｃｏｎｖｏｌｕｔｉｏｎａｌ  ｃｏｄｅなど）、ブロック拡散（Ｂｌｏｃｋ−ｓｐｒｅａｄｉｎｇ）、ＳＣ−ＦＤＭＡ変調を経て複数のＡＣＫ／ＮＡＣＫ情報から生成することができる。
【００７４】
図９は、ＰＵＳＣＨを通じてＵＣＩを送信する方法を例示する。ＵＣＩ送信の要求されるサブフレームにＰＵＳＣＨ割当がある場合、ＰＵＳＣＨを通じてＵＣＩを送信することができる（ＰＵＳＣＨピギーバック）。具体的に、ＡＣＫ／ＮＡＣＫは、ＵＬ−ＳＣＨデータのマップされるＳＣ−ＦＤＭＡのリソースの一部にパンクチャリングによって挿入する。ＡＣＫ／ＮＡＣＫは、ＲＳ（Ｒｅｆｅｒｅｎｃｅ  Ｓｉｇｎａｌ）に隣接して位置する。また、ＵＣＩがＵＬ−ＳＣＨデータ無しでＰＵＳＣＨ上で送信されるようにスケジューリングできる。
【００７５】
以下、図１０〜図１５を参照して、ＴＤＤと設定されたＣＣ（或いはセル）でのＡＣＫ／ＮＡＣＫ送信過程及びそれによる信号送信タイミングについて説明する。
【００７６】
図１０及び図１１は、ＡＣＫ／ＮＡＣＫ（Ａ／Ｎ）タイミング（或いは、ＨＡＲＱタイミング）を示す図である。
【００７７】
図１０を参照すると、端末は、Ｍ個のＤＬサブフレーム（ＳＦ）上で一つ以上のＰＤＳＣＨ信号を受信することができる（Ｓ５０２＿０〜Ｓ５０２＿Ｍ−１）（Ｍ≧１）。それぞれのＰＤＳＣＨ信号は、送信モードによって一つ又は複数（例、２個）の伝送ブロック（ＴＢ）を含むことができる。図示してはいないが、段階Ｓ５０２＿０〜Ｓ５０２＿Ｍ−１においてＳＰＳ解除を指示するＰＤＣＣＨ信号も受信することができる。Ｍ個のＤＬサブフレームにＰＤＳＣＨ信号及び／又はＳＰＳ解除ＰＤＣＣＨ信号が存在すると、端末はＡＣＫ／ＮＡＣＫ送信のための過程（例、ＡＣＫ／ＮＡＣＫ（ペイロード）生成、ＡＣＫ／ＮＡＣＫリソース割当など）を経て、Ｍ個のＤＬサブフレームに対応する一つのＵＬサブフレームを通じてＡＣＫ／ＮＡＣＫを送信する（Ｓ５０４）。ＡＣＫ／ＮＡＣＫは、段階Ｓ５０２＿０〜Ｓ５０２＿Ｍ−１のＰＤＳＣＨ信号及び／又はＳＰＳ解除ＰＤＣＣＨ信号に関する受信応答情報を含む。
【００７８】
ＡＣＫ／ＮＡＣＫは基本的にＰＵＣＣＨを通じて送信されるが、ＡＣＫ／ＮＡＣＫ送信時点にＰＵＳＣＨ送信がある場合、ＰＵＳＣＨを通じて送信される。端末に複数のＣＣが構成された場合、ＰＵＣＣＨはＰＣＣ上でのみ送信され、ＰＵＳＣＨはスケジューリングされたＣＣ上で送信される。ＡＣＫ／ＮＡＣＫ送信のために、表２の様々なＰＵＣＣＨフォーマットを用いることができる。また、ＰＵＣＣＨフォーマットを通じて送信されるＡＣＫ／ＮＡＣＫビット数を減らすために、ＡＣＫ／ＮＡＣＫバンドリング（ｂｕｎｄｌｉｎｇ）、ＡＣＫ／ＮＡＣＫチャネル選択（ｃｈａｎｎｅｌ  ｓｅｌｅｃｔｉｏｎ）のような種々の方法を用いることができる。
【００７９】
上述した通り、ＴＤＤではＭ個のＤＬサブフレームで受信したＤＬ信号に対するＡＣＫ／ＮＡＣＫが一つのＵＬサブフレームを通じて送信され（すなわち、Ｍ  ＤＬ  ＳＦ（ｓ）：１  ＵＬ  ＳＦ）、これらの関係はＤＡＳＩ（Ｄｏｗｎｌｉｎｋ  Ａｓｓｏｃｉａｔｉｏｎ  Ｓｅｔ  Ｉｎｄｅｘ）によって与えられる。
【００８０】
表３は、ＬＴＥ（−Ａ）に定義されたＤＡＳＩ（Ｋ：｛ｋ０，ｋ１，…ｋＭ−１｝）を示す。表３は、ＡＣＫ／ＮＡＣＫを送信するＵＬサブフレームの立場で、自身に関係するＤＬサブフレームとの間隔を示している。具体的に、サブフレームｎ−ｋ（ｋ∈Ｋ）にＰＤＳＣＨ送信及び／又はＳＰＳ解除を指示するＰＤＣＣＨがある場合、端末はサブフレームｎでＡＣＫ／ＮＡＣＫを送信する。
【００８１】
【表３】
0005933753.tif 000010
図１１は、ＵＬ−ＤＬ構成＃１が設定されたＣＣに適用されるＡ／Ｎタイミングを例示する。同図で、ＳＦ＃０〜＃９及びＳＦ＃１０〜＃１９はそれぞれ無線フレームに対応する。ボックス内の数字は、ＤＬサブフレームの観点で自身に関係するＵＬサブフレームを表す。例えば、ＳＦ＃５のＰＤＳＣＨに対するＡＣＫ／ＮＡＣＫはＳＦ＃５＋７（＝ＳＦ＃１２）で送信され、ＳＦ＃６のＰＤＳＣＨに対するＡＣＫ／ＮＡＣＫはＳＦ＃６＋６（＝ＳＦ＃１２）で送信される。すなわち、ＳＦ＃５／ＳＦ＃６に対するＡＣＫ／ＮＡＣＫは両方ともＳＦ＃１２で送信される。同様に、ＳＦ＃１４のＰＤＳＣＨに対するＡＣＫ／ＮＡＣＫは、ＳＦ＃１４＋４（＝ＳＦ＃１８）で送信される。
【００８２】
図１２及び図１３は、ＵＬグラント（ＵＬ  ｇｒａｎｔ；ＵＧ）／ＰＨＩＣＨ−ＰＵＳＣＨタイミングを示す。ＰＤＣＣＨ（ＵＬグラント）及び／又はＰＨＩＣＨ（ＮＡＣＫ）に対応してＰＵＳＣＨを送信することができる。
【００８３】
図１２を参照すると、端末は、ＰＤＣＣＨ（ＵＬグラント）及び／又はＰＨＩＣＨ（ＮＡＣＫ）を受信することができる（Ｓ７０２）。ここで、ＮＡＣＫは、以前のＰＵＳＣＨ送信に対するＡＣＫ／ＮＡＣＫ応答に該当する。この場合、端末はＰＵＳＣＨ送信のための過程（例、ＴＢ符号化、ＴＢ−ＣＷスワップ、ＰＵＳＣＨリソース割当など）を経て、ｋサブフレームの後にＰＵＳＣＨを通じて一つ又は複数の伝送ブロック（ＴＢ）を初期／再送信することができる（Ｓ７０４）。本例は、ＰＵＳＣＨが１回送信される普通（ｎｏｒｍａｌ）のＨＡＲＱ動作を仮定する。この場合、ＰＵＳＣＨ送信に対応するＰＨＩＣＨ／ＵＬグラントは同一サブフレームに存在する。ただし、ＰＵＳＣＨが複数のサブフレームを通じて複数回送信されるサブフレームバンドリングでは、ＰＵＳＣＨ送信に対応するＵＬグラント／ＰＨＩＣＨは、互いに異なるサブフレームで存在することがある。
【００８４】
表４には、ＬＴＥ（−Ａ）にＰＵＳＣＨ送信のためのＵＡＩ（Ｕｐｌｉｎｋ  Ａｓｓｏｃｉａｔｉｏｎ  Ｉｎｄｅｘ）（ｋ）を示す。表４は、ＰＨＩＣＨ／ＵＬグラントが検出されたＤＬサブフレームの立場で自身に関係するＵＬサブフレームとの間隔を示している。具体的に、サブフレームｎでＰＨＩＣＨ／ＵＬグラントが検出されると、端末はサブフレームｎ＋ｋでＰＵＳＣＨを送信することができる。
【００８５】
【表４】
0005933753.tif 000011
図１３は、ＵＬ−ＤＬ構成＃１が設定された場合のＰＵＳＣＨ送信タイミングを例示する。同図で、ＳＦ＃０〜＃９及びＳＦ＃１０〜＃１９はそれぞれ無線フレームに対応する。同図で、ボックス内の数字は、ＤＬサブフレームの観点で自身に関係するＵＬサブフレームを表す。例えば、ＳＦ＃６のＰＨＩＣＨ／ＵＬグラントに対するＰＵＳＣＨはＳＦ＃６＋６（＝ＳＦ＃１２）で送信され、ＳＦ＃１４のＰＨＩＣＨ／ＵＬグラントに対するＰＵＳＣＨはＳＦ＃１４＋４（＝ＳＦ＃１８）で送信される。
【００８６】
図１４及び図１５には、ＰＵＳＣＨ−ＵＬグラント（ＵＧ）／ＰＨＩＣＨタイミングを示す。ＰＨＩＣＨはＤＬ  ＡＣＫ／ＮＡＣＫを送信するために用いれる。ここで、ＤＬ  ＡＣＫ／ＮＡＣＫは、ＵＬデータ（例、ＰＵＳＣＨ）に対する応答としてダウンリンクで送信されるＡＣＫ／ＮＡＣＫを意味する。
【００８７】
図１４を参照すると、端末は基地局にＰＵＳＣＨ信号を送信する（Ｓ９０２）。ここで、ＰＵＳＣＨ信号は送信モードによって一つ又は複数（例、２個）の伝送ブロック（ＴＢ）を送信するために用いれる。ＰＵＳＣＨ送信に対する応答として、基地局は、ＡＣＫ／ＮＡＣＫを送信するための過程（例、ＡＣＫ／ＮＡＣＫ生成、ＡＣＫ／ＮＡＣＫリソース割当など）を経て、ｋサブフレームの後にＰＨＩＣＨを通じてＡＣＫ／ＮＡＣＫを端末に送信することができる（Ｓ９０４）。ＡＣＫ／ＮＡＣＫは、段階Ｓ９０２のＰＵＳＣＨ信号に関する受信応答情報を含む。また、ＰＵＳＣＨ送信に対する応答がＮＡＣＫであると、基地局はｋサブフレームの後にＰＵＳＣＨ再送信のためのＵＬグラントＰＤＣＣＨを端末に送信することができる（Ｓ９０４）。本例は、ＰＵＳＣＨが１回送信される普通のＨＡＲＱ動作を仮定する。この場合、ＰＵＳＣＨ送信に対応するＵＬグラント／ＰＨＩＣＨは、同一サブフレームで送信することができる。ただし、サブフレームバンドリングの場合、ＰＵＳＣＨ送信に対応するＵＬグラント／ＰＨＩＣＨを、互いに異なるサブフレームで送信することができる。
【００８８】
表５には、ＴＤＤに定義されたＰＨＩＣＨタイミングを示す。サブフレーム＃ｎのＰＵＳＣＨ送信に対して、端末はサブフレーム＃（ｎ＋ｋＰＨＩＣＨ）で対応するＰＣＨＩＨリソースを決定する。
【００８９】
【表５】
0005933753.tif 000012
図１５は、ＵＬ−ＤＬ構成＃１が設定された場合のＵＬグラント／ＰＨＩＣＨ送信タイミングを例示する。同図で、ＳＦ＃０〜＃９及びＳＦ＃１０〜＃１９はそれぞれ無線フレームに対応する。ボックス内の数字は、ＵＬサブフレーム観点で自身に関係するＤＬサブフレームを表す。例えば、ＳＦ＃２のＰＵＳＣＨに対するＰＨＩＣＨ／ＵＬグラントはＳＦ＃２＋４（＝ＳＦ＃６）で送信され、ＳＦ＃８のＰＵＳＣＨに対するＵＬグラント／ＰＨＩＣＨはＳＦ＃８＋６（＝ＳＦ＃１４）で送信される。
【００９０】
ＴＤＤと設定されているＣＣ（或いはセル）に対して、端末が基地局にＡＣＫ／ＮＡＣＫ信号を送信するとき、次の問題点が生じることがある：複数のサブフレーム区間において基地局から送られたＰＤＣＣＨの一部を端末が逃した場合、端末は、逃したＰＤＣＣＨに該当するＰＤＳＣＨが自身に送信された事実さえ知らず、ＡＣＫ／ＮＡＣＫ生成時に誤りが発生することがある。
【００９１】
このような問題を解決するために、ＴＤＤ  ＣＣのためのＤＬグラントＰＤＣＣＨ／ＳＰＳ解除ＰＤＣＣＨは、ＤＡＩフィールド（すなわち、ＤＬ  ＤＡＩフィールド）を含む。ＤＬ  ＤＡＩフィールドの値は、ＤＬサブフレームｎ−ｋ（ｋ∈Ｋ）内で現在サブフレームまでＰＤＳＣＨに対応するＰＤＣＣＨ及びダウンリンクＳＰＳ解除を指示するＰＤＣＣＨの累積値（すなわち、カウント値）を表す。例えば、３個のＤＬサブフレームが一つのＵＬサブフレームに対応する場合、３個のＤＬサブフレーム区間に送信されるＰＤＳＣＨに順次にインデックスを付与（すなわち、順次にカウント）し、ＰＤＳＣＨをスケジューリングするＰＤＣＣＨに載せて送る。端末は、ＰＤＣＣＨにあるＤＡＩ情報から、以前のＰＤＣＣＨを正確に受信したか確認できる。
【００９２】
図１６は、ＤＬ  ＤＡＩを用いたＡＣＫ／ＮＡＣＫ送信を例示する。本例は、３  ＤＬサブフレーム：１  ＵＬサブフレームとしたＴＤＤシステムを仮定する。便宜上、端末はＰＵＳＣＨリソースを用いてＡＣＫ／ＮＡＣＫを送信すると仮定する。ＬＴＥではＰＵＳＣＨを通じてＡＣＫ／ＮＡＣＫを送信する場合、１ビット又は２ビットのバンドリングされたＡＣＫ／ＮＡＣＫを送信する。
【００９３】
図１６を参照すると、第一の例示（例１）のように、２番目のＰＤＣＣＨを逃した場合、端末は、３番目のＰＤＣＣＨのＤＬ  ＤＡＩ値とその時点まで検出されたＰＤＣＣＨの数とが異なるため、２番目のＰＤＣＣＨを逃したことが認識できる。この場合、端末は２番目のＰＤＣＣＨに対するＡＣＫ／ＮＡＣＫ応答をＮＡＣＫ（或いは、ＮＡＣＫ／ＤＴＸ）と処理できる。一方、第二の例示（例２）のように、最後のＰＤＣＣＨを逃した場合、端末は、最後に検出したＰＤＣＣＨのＤＡＩ値とその時点まで検出されたＰＤＣＣＨの数とが一致するため、最後のＰＤＣＣＨを逃したことが認識できない（すなわち、ＤＴＸ）。そのため、端末は、ＤＬサブフレーム区間において２個のＰＤＣＣＨのみがスケジューリングされたと認識する。この場合、端末は、前部２個のＰＤＣＣＨに対応するＡＣＫ／ＮＡＣＫのみをバンドリングするため、ＡＣＫ／ＮＡＣＫフィードバック過程で誤りが発生する。このような問題を解決するために、ＵＬグラントＰＤＣＣＨもＤＡＩフィールド（すなわち、ＵＬ  ＤＡＩフィールド）を含む。ＵＬ  ＤＡＩフィールドは、２ビットフィールドであり、スケジューリングされたＰＤＣＣＨの個数に関する情報を知らせる。
【００９４】
表６は、ＤＣＩフォーマット内のＤＡＩフィールドが指示する値（ＶＤＬＤＡＩ、ＶＵＬＤＡＩ）を示すものである。ＶＤＬＤＡＩはＤＬ  ＤＡＩ値を表し、ＶＵＬＤＡＩはＵＬ  ＤＡＩ値を表す。ＶＤＬＤＡＩは、ＵＬ−ＤＬ構成＃１−６の場合に、ＤＣＩフォーマット１／１Ａ／１Ｂ／１Ｄ／２／２Ａ／２Ｂ／２Ｃ／２Ｄ内のＤＡＩフィールドの値を表す。ＶＵＬＤＡＩは、（ｉ）ＵＬ−ＤＬ構成＃１−６である一つのＣＣ（或いはセル）が構成されたり、（ｉｉ）端末がＰＵＣＣＨフォーマット３を用いないように設定された場合に、ＤＣＩフォーマット０／４内のＤＡＩフィールドの値を表す。
【００９５】
【表６】
0005933753.tif 000013
ＭＳＢ：  Ｍｏｓｔ  ｓｉｇｎｉｆｉｃａｎｔ  ｂｉｔ．  ＬＳＢ：  Ｌｅａｓｔ  ｓｉｇｎｉｆｉｃａｎｔ  ｂｉｔ．
表７は、ＤＣＩフォーマット０／４内のＤＡＩフィールドが指示する値（ＷＵＬＤＡＩ）を示すものである。ＷＵＬＤＡＩは、（ｉ）ＵＬ−ＤＬ構成＃１−６である複数のＣＣ（或いはセル）が構成されたり、（ｉｉ）ＵＬ−ＤＬ構成＃１−６である一つのＣＣ（或いはセル）が構成され、ＰＵＣＣＨフォーマット３を用いるように設定された場合に、ＤＣＩフォーマット０／４内のＤＡＩフィールドの値を表す。
【００９６】
【表７】
0005933753.tif 000014
ＭＳＢ：  Ｍｏｓｔ  ｓｉｇｎｉｆｉｃａｎｔ  ｂｉｔ．  ＬＳＢ：  Ｌｅａｓｔ  ｓｉｇｎｉｆｉｃａｎｔ  ｂｉｔ．
便宜上、特に言及しない限り、ＤＬ  ＤＡＩはＶ、ＵＬ  ＤＡＩはＷと称する。
【００９７】
ＤＡＩは、ＡＣＫ／ＮＡＣＫ送信のための過程で様々に用いれる。例えば、ＤＡＩは、図１６を参照して例示した通り、ＤＴＸ検出に用いたり、ＡＣＫ／ＮＡＣＫペイロード生成過程（例、ＡＣＫ／ＮＡＣＫペイロードサイズ決定、ＡＣＫ／ＮＡＣＫペイロード内でＡＣＫ／ＮＡＣＫ情報の位置など）に用いたり、ＡＣＫ／ＮＡＣＫリソース割当過程に用いたりできる。
【００９８】
まず、ＤＡＩを用いたＤＴＸ検出例を説明する。図１６を再び参照すると、端末は、
0005933753.tif 000015
【００９９】
の場合、少なくとも一つのＤＬ割当が損失されたと仮定し（すなわち、ＤＴＸ発生）、バンドリング過程によって全てのコードワードに対してＮＡＣＫを生成する。ＵＤＡＩは、サブフレームｎ−ｋ（ｋ∈Ｋ）（表３参照）で検出されたＤＬグラントＰＤＣＣＨ及びＳＰＳ解除ＰＤＣＣＨの総個数を表す。ＮＳＰＳは、ＳＰＳ  ＰＤＳＣＨの個数を表し、０又は１である。
【０１００】
次に、ＤＡＩを用いたＡＣＫ／ＮＡＣＫペイロード生成例を説明する。便宜上、ＰＵＣＣＨフォーマット３が設定された場合について説明する。ＰＵＣＣＨフォーマット３のためのＡＣＫ／ＮＡＣＫペイロードはセル別に構成された後、セルインデックス順序に従って連接する。具体的に、ｃ−番目のサービングセル（或いはＤＬ  ＣＣ）のためのＨＡＲＱ−ＡＣＫフィードバックビットは、
0005933753.tif 000016
【０１０１】
と与えられる（ｃ≧０）。ＯＡＣＫｃは、ｃ−番目のサービングセルのためのＨＡＲＱ−ＡＣＫペイロードのビット数（すなわち、サイズ）を表す。ｃ−番目のサービングセルに対して、単一伝送ブロック送信をサポートする送信モードが設定されたり空間バンドリングが適用される場合、ＯＡＣＫｃ＝ＢＤＬｃと与えることができる。
【０１０２】
一方、ｃ−番目のサービングセルに対して、複数（例、２）の伝送ブロック送信をサポートする送信モードが設定され、且つ空間バンドリングが適用されない場合、ＯＡＣＫｃ＝２ＢＤＬｃと与えることができる。ＨＡＲＱ−ＡＣＫフィードバックビットがＰＵＣＣＨを通じて送信される場合、又はＨＡＲＱ−ＡＣＫフィードバックビットがＰＵＳＣＨを通じて送信されるが、ＰＵＳＣＨに対応するＷが存在しない場合（例、ＳＰＳ方式ベースのＰＵＳＣＨ）、ＢＤＬｃ＝Ｍと与えられる。Ｍは、表３に定義されたＫセット内の元素の個数を表す。ＴＤＤ  ＵＬ−ＤＬ構成が＃１、＃２、＃３、＃４、＃６であり、ＨＡＲＱ−ＡＣＫフィードバックビットがＰＵＳＣＨを通じて送信される場合、ＢＤＬｃ＝ＷＵＬＤＡＩと与えられる。ＷＵＬＤＡＩは、ＵＬグラントＰＤＣＣＨ内のＵＬ  ＤＡＩフィールドが指示する値を表し（表７）、簡単にＷで表示する。ＴＤＤ  ＵＬ−ＤＬ構成が＃５の場合、
0005933753.tif 000017
【０１０３】
と与えられる。ここで、Ｕは、Ｕｃのうち最大値を表し、Ｕｃは、ｃ−番目のサービングセルでサブフレームｎ−ｋに受信されたＰＤＳＣＨ及び（ダウンリンク）ＳＰＳ解除を指示するＰＤＣＣＨの総数を表す。サブフレームｎは、ＨＡＲＱ−ＡＣＫフィードバックビットが送信されるサブフレームである。
0005933753.tif 000018
【０１０４】
は、天井関数（ｃｅｉｌｉｎｇ  ｆｕｎｃｔｉｏｎ）を表す。
【０１０５】
ｃ−番目のサービングセルに対して、単一伝送ブロック送信をサポートする送信モードが設定されたり空間バンドリングが適用される場合、当該サービングセルのＨＡＲＱ−ＡＣＫペイロード内で各ＡＣＫ／ＮＡＣＫの位置は
0005933753.tif 000019
【０１０６】
と与えられる。ＤＡＩ（ｋ）は、ＤＬサブフレームｎ−ｋで検出されたＰＤＣＣＨのＤＬ  ＤＡＩ値を表す。一方、ｃ−番目のサービングセルに対して、複数（例、２個）の伝送ブロック送信をサポートする送信モードが設定されると共に、空間バンドリングが適用されない場合、当該サービングセルのＨＡＲＱ−ＡＣＫペイロード内で各ＡＣＫ／ＮＡＣＫの位置は  
0005933753.tif 000020
【０１０７】
及び  
0005933753.tif 000021
【０１０８】
と与えられる。  
0005933753.tif 000022
【０１０９】
は、コードワード０のためのＨＡＲＱ−ＡＣＫを表し、
0005933753.tif 000023
【０１１０】
はコードワード１のためのＨＡＲＱ−ＡＣＫを表す。コードワード０とコードワード１はスワップによってそれぞれ伝送ブロック０と１、又は伝送ブロック１と０に対応する。ＳＲ送信のために設定されたサブフレームでＰＵＣＣＨフォーマット３が送信される場合、ＰＵＣＣＨフォーマット３はＡＣＫ／ＮＡＣＫビット及びＳＲ  １ビットを併せて送信する。
【０１１１】
ｂｅｙｏｎｄ  ＬＴＥ−Ａシステムでは、互いに異なるサブフレーム構成を持つ複数ＣＣの併合（ａｇｇｒｅｇａｔｉｏｎ）を考慮している。例えば、互いに異なるサブフレーム構成を持つ複数ＣＣは、互いに異なるＵＬ−ＤＬ構成に設定された複数ＣＣの併合（便宜上、相異なる（ｄｉｆｆｅｒｅｎｔ）ＴＤＤ  ＣＡと呼ぶ）を含む。以下の説明は、相異なるＴＤＤ  ＣＡ状況を仮定するが、互いに異なるサブフレーム構成を持つ複数ＣＣの併合がこれに制限されるものではない。相異なるＴＤＤ  ＣＡの場合、ＰＣＣ及びＳＣＣに設定されたＡ／Ｎタイミング（図１０及び図１１参照）が、当該ＣＣのＵＬ−ＤＬ構成によって互いに異なることがある。したがって、同一ＤＬ  ＳＦタイミングに対してＡ／Ｎの送信されるＵＬ  ＳＦタイミングがＰＣＣ及びＳＣＣに互いに異なるように設定されることがあり、同一ＵＬ  ＳＦタイミングに送信されるＡ／Ｎフィードバックの対象となるＤＬ  ＳＦグループがＰＣＣ及びＳＣＣに互いに異なるように設定されることがある。また、同一ＳＦタイミングに対してＰＣＣ及びＳＣＣのリンク方向（すなわち、ＤＬ／ＵＬ）が異なることがある。
【０１１２】
また、ｂｅｙｏｎｄ  ＬＴＥ−Ａシステムでは、互いに異なるサブフレーム構成を持つ複数ＣＣが併合された場合にもクロスＣＣスケジューリング動作のサポートを考慮している。この場合、ＭＣＣ及びＳＣＣのそれぞれに設定されたＵＬグラント／ＰＨＩＣＨタイミング（図１２乃至図１５参照）が互いに異なることがある。例えば、同一ＵＬ  ＳＦに対してＵＬグラント／ＰＨＩＣＨの送信されるＤＬ  ＳＦがＭＣＣ及びＳＣＣにおいて互いに異なるように設定されることがある。また、同一ＤＬ  ＳＦで送信されるＵＬグラント或いはＰＨＩＣＨフィードバックの対象となるＵＬ  ＳＦグループがＭＣＣ及びＳＣＣにおいて互いに異なるように設定されることがある。この場合にも、同一ＳＦタイミングに対してＭＣＣ及びＳＣＣのリンク方向が異なるように設定されることがある。例えば、特定ＳＦタイミングがＳＣＣではＵＬグラント／ＰＨＩＣＨの送信されるＤＬ  ＳＦに設定されるのに対し、ＭＣＣではＵＬ  ＳＦに設定されることがある。
【０１１３】
一方、互いに異なるサブフレーム構成（例、相異なるＴＤＤ  ＣＡ構成）によってＰＣＣとＳＣＣのリンク方向が異なるＳＦタイミング（以下、衝突（ｃｏｌｌｉｄｅｄ）ＳＦと称する）が存在する場合、該ＳＦタイミングでは端末のハードウェア構成或いは他の理由／目的などによってＰＣＣ／ＳＣＣのうち特定リンク方向或いは特定ＣＣ（例、ＰＣＣ）と同じリンク方向を持つＣＣのみを運用することがある。便宜上、このような方式をＨＤ（Ｈａｌｆ−Ｄｕｐｌｅｘ）−ＴＤＤ  ＣＡと呼ぶ。例えば、ＰＣＣは、特定ＳＦタイミングがＤＬ  ＳＦに設定され、ＳＣＣは、当該ＳＦタイミングがＵＬ  ＳＦに設定されることで、衝突ＳＦが形成される場合、当該ＳＦタイミングでＤＬ方向を持つＰＣＣ（すなわち、ＰＣＣに設定されたＤＬ  ＳＦ）のみを運用し、ＵＬ方向を持つＳＣＣ（すなわち、ＳＣＣに設定されたＵＬ  ＳＦ）は運用しなくてもよい（逆の場合も可能）。
【０１１４】
この場合、全てのＣＣのＤＬ  ＳＦを通じて送信されたＤＬ信号に対するＡ／ＮフィードバックをＰＣＣを通じて送信するために、各ＣＣ別に同一或いは異なる（特定ＵＬ−ＤＬ構成に設定された）Ａ／Ｎタイミングを適用したり、特定ＵＬ−ＤＬ構成に設定されたＡ／Ｎタイミングを全ＣＣに共通に適用する方案を考慮することができる。特定ＵＬ−ＤＬ構成（以下、基準構成（Ｒｅｆｅｒｅｎｃｅ  Ｃｏｎｆｉｇｕｒａｔｉｏｎ；Ｒｅｆ−Ｃｆｇ）と称する）は、ＰＣＣ又はＳＣＣに設定されたものであってもよく、その他のＵＬ−ＤＬ構成であってもよい。図面は、Ｒｅｆ−ＣｆｇをＡ／Ｎタイミング観点で例示しているが、Ｒｅｆ−ＣｆｇはＵＬグラント／ＰＨＩＣＨタイミングに関連して定義されてもよい。この場合、Ａ／ＮタイミングのためのＲｅｆ−Ｃｆｇ（以下、Ａ／ＮタイミングＲｅｆ−Ｃｆｇ）とＵＬグラント／ＰＨＩＣＨタイミングのためのＲｅｆ−Ｃｆｇ（以下、ＵＬグラント／ＰＨＩＣＨタイミングＲｅｆ−Ｃｆｇ）は独立して与えられる。簡単に、Ａ／ＮタイミングＲｅｆ−ＣｆｇをＤＬ−Ｒｅｆ  ＵＬ／ＤＬ構成と呼び、、ＵＬグラント／ＰＨＩＣＨタイミングＲｅｆ−ＣｆｇをＵＬ−Ｒｅｆ  ＵＬ／ＤＬ構成と呼ぶこともできる。
【０１１５】
ＨＤ−ＴＤＤ  ＣＡの場合、一つのＵＬ  ＳＦタイミングでＡ／Ｎフィードバックの対象となるＤＬ  ＳＦ（以下、Ａ／Ｎ−ＤＬ  ＳＦ）の個数が、ＰＣＣとＳＣＣにおいて異なるように設定されることがある。換言すれば、一つのＵＬ  ＳＦに対応するＤＬ  ＳＦ（便宜上、Ａ／Ｎ−ＤＬ  ＳＦ）の個数をＭと定義すれば、一つのＰＣＣ  ＵＬ  ＳＦに対してＭ値がＣＣ別に異なるように／独立して設定されることがある（ＣＣ別Ｍ値：Ｍｃ）。また、特定ＸＣＣ（ＰＣＣ又はＳＣＣ）のＡ／ＮタイミングＲｅｆ−ＣｆｇがＰＣＣのＵＬ−ＤＬ構成（すなわち、ＰＣＣ−Ｃｆｇ）と同一でない場合、ＰＣＣ  ＵＬ  ＳＦタイミングに設定されるＸＣＣのＡ／Ｎ−ＤＬ  ＳＦインデックスが、元のＰＣＣ−ＣｆｇのＡ／Ｎタイミングを適用した時のＡ／Ｎ−ＤＬ  ＳＦインデックスと異なる場合が発生することがある。特に、ＤＬデータをスケジューリングするＰＤＣＣＨのＣＣＥリソースにリンクされたＰＵＣＣＨリソースを黙示的ＰＵＣＣＨと称すると、この場合には、クロスＣＣスケジューリング状況であっても上記のような特定ＸＣＣ  ＤＬ  ＳＦ（これを通じて送信されるＤＬデータをスケジューリングするＰＤＣＣＨ）に対しては（当該ＳＦに対するＡ／Ｎが送信されるＰＣＣ  ＵＬ  ＳＦに）黙示的ＰＵＣＣＨが定義されていないことがある。
【０１１６】
図１７は、ＨＤ−ＴＤＤ  ＣＡ構造を例示する。同図で、灰色の陰影（Ｘ）は、衝突ＳＦで使用制限されるＣＣ（リンク方向）を例示し、点線の矢印は、ＰＣＣ  ＵＬ  ＳＦに黙示的ＰＵＣＣＨがリンクされていないＤＬ  ＳＦを例示する。
【０１１７】
一方、ＰＣＣとＳＣＣのリンク方向が異なる衝突ＳＦでＵＬ／ＤＬ同時送受信を全て許容する方式も考慮することができる。便宜上、このような方式をＦＤ（Ｆｕｌｌ−Ｄｕｐｌｅｘ）−ＴＤＤ  ＣＡと呼ぶ。この場合も、全ＣＣのＤＬ  ＳＦに対するＡ／Ｎフィードバックを一つのＰＣＣ  ＵＬ  ＳＦを通じて送信するために、ＣＣ別に（Ａ／Ｎタイミング）Ｒｅｆ−Ｃｆｇに設定されたＡ／Ｎタイミングを適用したり、特定（Ａ／Ｎタイミング）Ｒｅｆ−Ｃｆｇに設定されたＡ／Ｎタイミングを全てのＣＣに共通に適用することができる。（Ａ／Ｎタイミング）Ｒｅｆ−ＣｆｇはＰＣＣ−Ｃｆｇ又はＳＣＣ−Ｃｆｇと同一であってもよく、その他のＵＬ−ＤＬＣｆｇと与えられてもよい。ＦＤ−ＴＤＤ  ＣＡ構造においても一つのＰＣＣ  ＵＬ  ＳＦに対してＭ値がＣＣ別に異なるように／独立して設定されることがあり、クロスキャリアスケジューリング状況であってもＸＣＣ  ＤＬ  ＳＦに対しては（当該ＳＦに対応するＰＣＣ  ＵＬ  ＳＦに）黙示的ＰＵＣＣＨリソースが定義されていないことがある。図１８は、ＦＤ−ＴＤＤ  ＣＡ構造を例示し、点線の矢印はＰＣＣ  ＵＬ  ＳＦに黙示的ＰＵＣＣＨリソースがリンクされていないＤＬ  ＳＦを例示する。
【０１１８】
（実施例：互いに異なるサブフレーム構成を持つＣＣ併合時の制御情報シグナリング）
表６及び表７を参照すると、ＤＡＩは、ＵＬ−ＤＬ構成＃１−６に設定されたＣＣに対して使用され、ＵＬ−ＤＬ構成＃０に設定されたＣＣ（ＵＬ−ＤＬ構成＃０  ＣＣ）に対しては使用されない。ＵＬ  ＳＦ数がＤＬ  ＳＦ数よりも多いＵＬ−ＤＬ構成＃０の場合、他のＵＬ−ＤＬ  Ｃｆｇとは違い、ＵＬグラントＤＣＩフォーマットの場合、（ＵＬ  ＤＡＩの代わりに）スケジューリングの対象となるＵＬ  ＳＦを指示するＵＬインデックスがシグナリングされる。すなわち、ＵＬグラントＤＣＩフォーマットは、ＤＡＩフィールドとＵＬインデックスフィールドをＵＬ−ＤＬ構成によって選択的に含み、ＤＡＩフィールドとＵＬインデックスフィールドのサイズは同一に定義されている（例、２ビット）。ここで、ＵＬインデックスは、ＰＵＳＣＨ送信に用いれるサブフレームのインデックスを決定するのに用いることができる。また、ＵＬ−ＤＬ構成＃０  ＣＣのための、ＤＬグラントＤＣＩフォーマットの場合、（ＤＬ  ＤＡＩフィールドは存在するが）ＤＬ  ＤＡＩがシグナリングされないように定義される。すなわち、ＤＬ  ＤＡＩフィールドは存在するが、ＤＬ  ＤＡＩフィールド（値）は使用されない。ＵＬグラントＤＣＩフォーマットはＤＣＩフォーマット０／４を含み、ＤＬグラントＤＣＩフォーマットはＤＣＩフォーマット１／１Ａ／１Ｂ／１Ｄ／２／２Ａ／２Ｂ／２Ｃ／２Ｄを含む。ＵＬ−ＤＬ構成＃０においてＵＬインデックスをシグナリングする理由は、少ない数のＤＬ  ＳＦを用いてそれよりも多い数のＵＬ  ＳＦに対するＵＬスケジューリング／ＨＡＲＱを行うためである。また、ＵＬ−ＤＬ構成＃０では、ＵＬ  ＳＦがＤＬ  ＳＦよりも多いため、各ＤＬ  ＳＦ別に互いに異なるＵＬ  ＳＦを（Ａ／Ｎ送信のために）リンクさせることができ、よってＤＬ  ＤＡＩシグナリングを省略することが可能である。
【０１１９】
一方、サブフレーム構成が互いに異なる複数ＣＣのＣＡ状況（例、互いに異なるＵＬ−ＤＬ  Ｃｆｇを持つ複数ＣＣのＣＡ状況）において、ＵＬ−ＤＬ  Ｃｆｇ  ＃０に設定されたＣＣが存在する場合、ＵＬ−ＤＬ  Ｃｆｇ  ＃０であるＣＣの（ＨＡＲＱタイミング）Ｒｅｆ−Ｃｆｇが、該ＣＣ以外のＣＣのＵＬ−ＤＬ  Ｃｆｇ、或いは第３のＵＬ−ＤＬ  Ｃｆｇに設定されてよい（この時、ＵＬインデックスに対するシグナリングはなくてもよい。）。これに関し、Ａ／Ｎ送信の観点で、ＰＣＣの一つのＵＬ  ＳＦにＵＬ−ＤＬ  Ｃｆｇ  ＃０であるＣＣの複数ＤＬ  ＳＦがリンクされることがある。そのため、ＵＬ−ＤＬ  Ｃｆｇ  ＃０であるＣＣに対してＵＬ−ＤＬ構成＃Ｎ（Ｎ：０以外の整数（例、１〜６））がＲｅｆ−Ｃｆｇに設定される場合、ＵＬ−ＤＬ  Ｃｆｇ  ＃０のＣＣへのＤＬ／ＵＬデータをスケジューリングするＤＬ／ＵＬグラントＤＣＩフォーマットに、ＤＬ／ＵＬ  ＤＡＩに対するシグナリングが提供されることが、より効率的なＡ／Ｎ送信のために有用であろう。
【０１２０】
まず、ＴＤＤ状況でＵＬ−ＤＬ  Ｃｆｇ  ＃０であるＣＣ（すなわち、ＵＬ−ＤＬ  Ｃｆｇ  ＃０で動作するＣＣ）をスケジューリングするＤＣＩフォーマット（以下、ＵＬ−ＤＬ  Ｃｆｇ  ＃０スケジューリングＤＣＩフォーマット）を用いたＤＡＩシグナリング方案及びそれによるＡ／Ｎ送信方法を提案する。一方案として、ＵＬ−ＤＬ  Ｃｆｇ  ＃０スケジューリングＤＬグラントＤＣＩフォーマットにおいてＤＬ  ＤＡＩシグナリングが活性化する場合は、（ｉ）端末がＣＡ能力を有する場合、（ｉｉ）端末に複数ＣＣが割り当てられた場合、（ｉｉｉ）端末に、互いに異なるＵＬ−ＤＬ  Ｃｆｇを持つ複数ＣＣが割り当てられた場合、（ｉｖ）Ａ／Ｎ送信のためにＰＵＣＣＨフォーマット３が設定された場合、又はこれらの組合せ、を含むことができる。ＰＵＣＣＨフォーマット３が設定された場合に、ＤＬ  ＤＡＩ値によって、ＰＵＣＣＨフォーマット決定、ＰＵＳＣＨでのＡ／Ｎ送信、ＣＳＩ又はＳＲとＡ／Ｎの同時送信などが行われるからである。
【０１２１】
他の方案として、（ｉ）ＵＬ−ＤＬ  Ｃｆｇ  ＃０を持つ一つ以上或いは２個以上のＣＣに対するＣＡ状況、（ｉｉ）（ＵＬ−ＤＬ  Ｃｆｇ（＃０）を持つＣＣ間）ＣＡ能力を有する端末、及び／又は（ｉｉｉ）（ＵＬ−ＤＬ  Ｃｆｇ（＃０）を持つ）一つ以上のＣＣ間ＣＡ状況でＡ／Ｎ送信のためにＰＵＣＣＨフォーマット３が設定される場合に限って、既存のようにＤＬ  ＤＡＩシグナリングを活性化しない状態で当該ＣＣをスケジューリングするＤＬグラントＰＤＣＣＨのＤＬ  ＤＡＩ値はＤＬ  ＤＡＩ初期値（例、１）に対応すると仮定することができる。ＤＬグラントＰＤＣＣＨ内のＴＰＣフィールドの用途（例、ＰＵＣＣＨ電力制御又はＡ／Ｎリソース指定）及びそれによるＡ／Ｎ送信用ＰＵＣＣＨフォーマットの決定、ＰＵＳＣＨでのＡ／Ｎ送信時にＡ／Ｎペイロード構成、ＣＳＩ又はＳＲとＡ／Ｎとの同時送信の有無などがいずれも、ＤＬ  ＤＡＩ値（或いは、ＤＬ  ＤＡＩ初期値の有無）によって決定されるからである。したがって、上記条件に該当する端末は、任意のＣＣをスケジューリングするＤＬグラントＰＤＣＣＨを受信すると、当該ＣＣに対してＤＬ  ＤＡＩ初期値を受信したと見なした後、それに基づいてＴＰＣフィールド参照、ＰＵＣＣＨ電力制御、Ａ／Ｎリソース決定、Ａ／Ｎペイロード構成、ＣＳＩ又はＳＲとＡ／Ｎとの同時送信などを行えばよい。
【０１２２】
一方、ＵＬ−ＤＬ  Ｃｆｇ  ＃０スケジューリングＵＬグラントＤＣＩフォーマットにおいてＵＬ  ＤＡＩシグナリングが活性化する場合は、（ＵＬインデックスに対するシグナリングが不可避な場合を除く）互いに異なるＵＬ−ＤＬ  Ｃｆｇを持つ複数ＣＣが割り当てられたＣＡ状況に限定することができる。
【０１２３】
また、相異なるＵＬ−ＤＬ  Ｃｆｇを持つ複数ＣＣのＣＡ状況では、ＴＤＤ  ＣＡ組合せ／構造、クロスキャリアスケジューリングの有無、Ａ／ＮタイミングＲｅｆ−Ｃｆｇ、ＵＬグラント／ＰＨＩＣＨタイミングＲｅｆ−Ｃｆｇなどによって、ＤＣＩフォーマットのＤＬ  ＤＡＩ、ＵＬ  ＤＡＩシグナリングをサポートするか否かを決定することができる。
【０１２４】
以下、ＤＬ／ＵＬ  ＤＡＩシグナリングをサポートするか否かを決定する方法、及びそれによるＰＵＳＣＨ（或いはＰＵＣＣＨ）で送信されるＡ／Ｎペイロード構成方法を提案する。便宜上、以下の説明は、ＵＬ−ＤＬ構成が互いに異なる一つのＰＣＣ（或いはＭＣＣ）と一つのＳＣＣとが束ねられた場合を取り上げるが、互いに異なるサブフレーム構成を持つ複数のＣＣが束ねられた場合へと拡張してもよい。また、以下の説明において、ＤＬグラントＤＣＩフォーマットは、ＤＬデータをスケジューリングするＰＤＣＣＨ、ＳＰＳ解除を命令するＰＤＣＣＨを含む。また、ＤＬデータ（或いはＤＬ信号）は、ＡＣＫ／ＮＡＣＫフィードバックを要求するＰＤＣＣＨ／ＰＤＳＣＨを総称し、ＳＰＳ解除を指示するＰＤＣＣＨを含む。また、ＤＬ  ＳＦは、一般的なＤＬ  ＳＦに加え、スペシャルＳＦも含むことができる。また、ＵＬ−ＤＬ  Ｃｆｇ  ＃０のＣＣ（すなわち、ＵＬ−ＤＬ  Ｃｆｇ  ＃０に設定された／で動作するＣＣ）をスケジューリングするＤＣＩフォーマットを、ＵＬ−ＤＬ  Ｃｆｇ  ＃０スケジューリングＤＣＩフォーマットと呼ぶ。
【０１２５】
〈ＤＬ  ＤＡＩシグナリング〉
（１）Ｍｅｔｈｏｄ  Ｄ−１：（ＵＬ−ＤＬ  Ｃｆｇ  ＃０スケジューリング）ＤＬグラントＤＣＩフォーマットを用いたＤＬ  ＤＡＩシグナリングがない
ＵＬ−ＤＬ  Ｃｆｇ  ＃０で動作するＣＣに対するＡ／Ｎペイロードのサイズは、Ａ／Ｎ送信チャネル（例、ＰＵＣＣＨ、ＰＵＳＣＨ）にかかわらず（また、ＵＬ  ＤＡＩの値／有無にかかわらず）、常に最大サイズと決定することができる。ここで、最大サイズは、Ａ／Ｎ送信の観点で１個のＰＣＣ  ＵＬ  ＳＦにリンクされるＵＬ−ＤＬ  Ｃｆｇ  ＃０のＤＬ  ＳＦ数の全体に該当するものであってよい。該ＵＬ−ＤＬ  Ｃｆｇ  ＃０のＡ／Ｎペイロードは、ＤＬ  ＤＡＩ順序ではなくＤＬ  ＳＦ順序でオーダリング（ｏｒｄｅｒｉｎｇ）することができる。一方、本方法は、ＰＣＣがＵＬ−ＤＬ  Ｃｆｇ  ＃０である場合（すなわち、ＰＣＣのＡ／ＮタイミングＲｅｆ−ＣｆｇがＰＣＣ  ＵＬ−ＤＬ  Ｃｆｇに設定された場合）にのみ適用することができる。ＰＣＣのＲｅｆ−ＣｆｇはＰＣＣのＵＬ−ＤＬ構成に従う。また、本方法は、ＵＬ−ＤＬ  Ｃｆｇ  ＃０で動作するＣＣのＡ／ＮタイミングＲｅｆ−ＣｆｇがＵＬ−ＤＬ  Ｃｆｇ  ＃０に設定された場合にのみ当該ＣＣに適用することができる。また、本方法は、ＵＬ−ＤＬ  Ｃｆｇにかかわらず、Ａ／ＮタイミングＲｅｆ−ＣｆｇがＵＬ−ＤＬ  Ｃｆｇ  ＃０に設定されるＣＣに適用することができる。例えば、ＣＣがＵＬ−ＤＬ  Ｃｆｇ  ＃０〜６のいずれか一つ（特に、ＵＬ−ＤＬ  Ｃｆｇ  ＃１〜６のいずれか一つ）に設定され、当該ＣＣに対するＡ／ＮタイミングＲｅｆ−ＣｆｇがＵＬ−ＤＬ  Ｃｆｇ  ＃０に設定される場合、当該ＣＣに対するＤＬグラントＤＣＩフォーマットを用いてはＤＡＩシグナリングがない。この時にも、上記提示されたＡ／Ｎペイロード構成及びＡ／Ｎオーダリング方式を適用することができる。
【０１２６】
（２）Ｍｅｔｈｏｄ  Ｄ−２：（ＵＬ−ＤＬ  Ｃｆｇ  ＃０スケジューリング）ＤＬグラントＤＣＩフォーマットを用いたＤＬ  ＤＡＩシグナリングの提供
本方法は、ＳＣＣがＵＬ−ＤＬ  Ｃｆｇ  ＃０である場合（すなわち、ＳＣＣのＡ／ＮタイミングＲｅｆ−ＣｆｇがＰＣＣ  ＵＬ−ＤＬ  Ｃｆｇに設定された場合）にのみ適用することができる。また、本方法は、ＵＬ−ＤＬ  Ｃｆｇ  ＃０で動作するＣＣ（以下、ＵＬ−ＤＬ  Ｃｆｇ  ＃０  ＣＣ）のＡ／ＮタイミングＲｅｆ−Ｃｆｇが、ＵＬ−ＤＬ  Ｃｆｇ  ＃０以外のＵＬ−ＤＬ  Ｃｆｇに設定される場合にのみ当該ＣＣ（すなわち、ＵＬ−ＤＬ  Ｃｆｇ  ＃０  ＣＣ）に適用することができる。また、本方法は、ＵＬ−ＤＬ  Ｃｆｇにかかわらず、Ａ／ＮタイミングＲｅｆ−ＣｆｇがＵＬ−ＤＬ  Ｃｆｇ  ＃０以外のＵＬ−ＤＬ  Ｃｆｇに設定されるＣＣに適用することができる。例えば、ＣＣがＵＬ−ＤＬ  Ｃｆｇ  ＃０〜＃６のいずれか一つ（特に、ＵＬ−ＤＬ  Ｃｆｇ  ＃０）に設定され、当該ＣＣに対するＡ／ＮタイミングＲｅｆ−ＣｆｇがＵＬ−ＤＬ  Ｃｆｇ  ＃１〜６のいずれか一つに設定される場合、当該ＣＣに対するＤＬグラントＤＣＩフォーマットを用いてＤＡＩシグナリングを提供することができる。
【０１２７】
一方、ＵＬ−ＤＬ  Ｃｆｇ  ＃０がＰＣＣである場合、ＣＣ別Ａ／ＮタイミングＲｅｆ−Ｃｆｇは、クロスキャリアスケジューリングの有無によって次のように決定することができる。ここで、クロスキャリアスケジューリングは、ＳＣＣを通じて送信されるＤＬデータがＰＣＣによってスケジューリングされることを意味できる。
【０１２８】
■  Ｃａｓｅ  ＃１：（ＰＣＣ，ＳＣＣ）＝ＵＬ−ＤＬ  Ｃｆｇ（＃０，＃Ｎ）；クロスキャリアスケジューリング
−  ＰＣＣのＡ／ＮタイミングＲｅｆ−Ｃｆｇ：ＵＬ−ＤＬ  Ｃｆｇ  ＃０（すなわち、ＰＣＣ  ＵＬ−ＤＬ  Ｃｆｇ）
−  ＳＣＣのＡ／ＮタイミングＲｅｆ−Ｃｆｇ：ＵＬ−ＤＬ  Ｃｆｇ  ＃０（すなわち、ＰＣＣ  ＵＬ−ＤＬ  Ｃｆｇ）
■  Ｃａｓｅ  ＃２：（ＰＣＣ，ＳＣＣ）＝ＵＬ−ＤＬ  Ｃｆｇ（＃０，＃Ｎ）；非クロスキャリアスケジューリング
−  ＰＣＣのＡ／ＮタイミングＲｅｆ−Ｃｆｇ：ＵＬ−ＤＬ  Ｃｆｇ  ＃０（すなわち、ＰＣＣ  ＵＬ−ＤＬ  Ｃｆｇ）
−  ＳＣＣのＡ／ＮタイミングＲｅｆ−Ｃｆｇ：ＵＬ−ＤＬ  Ｃｆｇ  ＃Ｎ（すなわち、ＳＣＣ  ＵＬ−ＤＬ  Ｃｆｇ）
ここで、Ｃａｓｅ  ＃１では、ＣＣ１とＣＣ２のＡ／ＮタイミングＲｅｆ−Ｃｆｇを両方ともＵＬ−ＤＬ  Ｃｆｇ  ＃０の場合へと一般化できる。また、Ｃａｓｅ  ＃２では、ＣＣ１とＣＣ２のＡ／ＮタイミングＲｅｆ−Ｃｆｇをそれぞれ、ＵＬ−ＤＬ  Ｃｆｇ  ＃０とＵＬ−ＤＬ  Ｃｆｇ  ＃Ｎ（Ｎ≧１）の場合へと一般化できる。ＣＣ１はＰＣＣ、ＣＣ２はＳＣＣであってよい。以下では、ＰＣＣとＳＣＣがそれぞれＣＣ１とＣＣ２に代替されてもよい。
【０１２９】
本発明では、Ｃａｓｅ  ＃１及びＣａｓｅ  ＃２に対して次の方法を提案する。便宜上、ＤＬ  ＤＡＩシグナリングの活性化／不活性化をＤＬ  ＤＡＩ  ＯＮ／ＯＦＦで表す。ここで、ＤＬ  ＤＡＩ  ＯＮは、ＤＣＩフォーマット内のＤＬ  ＤＡＩフィールドの値をＡ／Ｎ送信過程に用いることができるということを表す。。また、ＤＬ  ＤＡＩ  ＯＦＦは、ＤＣＩフォーマット内にＤＬ  ＤＡＩフィールドが含まれていないか、又は、ＤＬ  ＤＡＩフィールドは存在するが、ＤＬ  ＤＡＩフィールドの値をＡ／Ｎ送信過程に用いることができないということを表す。
【０１３０】
■  Ｓｏｌ−１：ＤＬ  ＤＡＩ  ＯＦＦ  ｆｏｒ  ＰＣＣ、ＤＬ  ＤＡＩ  ＯＮ  ｆｏｒ  ＳＣＣ
−  端末は、ＰＣＣをスケジューリングする全てのＤＬグラントＰＤＣＣＨ及び／又はＤＬデータがいずれも最初のＤＬ  ＳＦ或いはＤＬ  ＤＡＩ初期値（例、１）に対応すると仮定した／見なした状態で動作することができる。他の方法として、ＰＣＣとＳＣＣに対して（ＰＵＣＣＨ／ＰＵＳＣＨのいずれかで送信されるにかかわらず、そしてＵＬ  ＤＡＩの値／有無にかかわらず）、Ｍｅｔｈｏｄ  Ｄ−１のＡ／Ｎペイロード（すなわち、最大サイズ）及びＡ／Ｎオーダリング（すなわち、ＤＬ  ＳＦ順序）方式を適用することができる。
【０１３１】
■  Ｓｏｌ−２：ＤＬ  ＤＡＩ  ＯＦＦ  ｆｏｒ  ｂｏｔｈ  ＰＣＣ  ａｎｄ  ＳＣＣ
−  端末は、ＰＣＣとＳＣＣをスケジューリングする全てのＤＬグラントＰＤＣＣＨ及び／又はＤＬデータがいずれも最初のＤＬ  ＳＦ或いはＤＬ  ＤＡＩ初期値（例、１）に対応すると仮定した／見なした状態で動作することができる。他の方法として、ＰＣＣとＳＣＣに対して（ＰＵＣＣＨ／ＰＵＳＣＨのいずれかで送信されるかにかかわらず、そしてＵＬ  ＤＡＩの値／有無にかかわらず）、Ｍｅｔｈｏｄ  Ｄ−１のＡ／Ｎペイロード（すなわち、最大サイズ）及びＡ／Ｎオーダリング（すなわち、ＤＬ  ＳＦ順序）方式を適用することができる。
【０１３２】
■  Ｓｏｌ−３：ＤＬ  ＤＡＩ  ＯＮ  ｆｏｒ  ｂｏｔｈ  ＰＣＣ  ａｎｄ  ＳＣＣ
−  Ｓｏｌ−１及びＳｏｌ−２のような別途の動作の定義／適用を伴わなくてすむ。結果として、Ａ／ＮタイミングＲｅｆ−Ｃｆｇ（これとＵＬ−ＤＬ  Ｃｆｇ  ＃０との一致有無）にかかわらず、常にＤＬ  ＤＡＩシグナリングを活性化することができる。
【０１３３】
一方、Ｃａｓｅ  ＃１及びＣａｓｅ  ＃２に同一の方式（例、Ｃａｓｅ  ＃１及びＣａｓｅ  ＃２に共通してＳｏｌ−２或いはＳｏｌ−３）を適用したり、互いに異なる方式（例、Ｃａｓｅ  ＃１にＳｏｌ−２、Ｃａｓｅ  ＃２にＳｏｌ−１或いはＳｏｌ−３）を適用したりできる。
【０１３４】
他の例として、全てのＣＣのＡ／ＮタイミングＲｅｆ−ＣｆｇがＵＬ−ＤＬ  Ｃｆｇ  ＃０に設定される場合にはＳｏｌ−２方式を適用し、Ａ／ＮタイミングＲｅｆ−ＣｆｇがＵＬ−ＤＬ  Ｃｆｇ  ＃０に設定されていないＣＣが存在する場合にはＳｏｌ−１或いはＳｏｌ−３方式を適用することができる。さらに他の方案として、全てのＣＣのＡ／ＮタイミングＲｅｆ−ＣｆｇがＵＬ−ＤＬ  Ｃｆｇ  ＃０に設定されていない場合にはＳｏｌ−３方式を適用し、Ａ／ＮタイミングＲｅｆ−ＣｆｇがＵＬ−ＤＬ  Ｃｆｇ  ＃０に設定されるＣＣが存在する場合にはＳｏｌ−１或いはＳｏｌ−２方式を適用することができる。
【０１３５】
一方、上述した方法（例、Ｓｏｌ−１〜３）は、Ａ／Ｎ送信のために「ＰＵＣＣＨフォーマット１ｂ  ｗｉｔｈ  チャネル選択方式」が設定された場合にのみ適用することができる。
【０１３６】
図１９は、本発明の一実施例に係る制御情報送信過程を例示する。本例は、［Ｍｅｔｈｏｄ  Ｄ−１、Ｍｅｔｈｏｄ  Ｄ−２］の組合せを例示しているが、他の組合せにも同様に行うことができる。例えば、本例は、［Ｍｅｔｈｏｄ  Ｄ−１，／Ｄ−２、Ｃａｓｅ  ＃１、Ｓｏｌ−２］組合せにも同様に行うことができる。
【０１３７】
図１９を参照すると、端末に、互いに異なるサブフレーム構成を持つ複数のセル（例、セル＃１、セル＃２）を構成することができる（Ｓ１７０２）。ここで、セル＃２は、ＵＬ−ＤＬ構成＃０〜＃６のいずれか一つ（特に、ＵＬ−ＤＬ  Ｃｆｇ  ＃１〜６のいずれか一つ）にすることができる。これに制限されるものではないが、セル＃１はＰＣｅｌｌ、セル＃２はＳＣｅｌｌであってよい。その後、端末は、セル＃２のために、ＤＡＩフィールドを含むＤＬ  ＤＣＩフォーマットを受信することができる（Ｓ１７０４）。Ｃａｓｅ  ＃１はクロスキャリアスケジューリングが設定された状態であるため、ＤＬ  ＤＣＩフォーマットはＣＩＦフィールドをさらに含むことができる。ＤＬ  ＤＣＩフォーマットはＤＣＩフォーマット１／１Ａ／１Ｂ／１Ｃ／１Ｄ／２／２Ａ／２Ｂ／２Ｃ／２Ｄを含む。以降、端末は、ＤＬ  ＤＣＩフォーマットに関連したＨＡＲＱ−ＡＣＫ情報をアップリンクで送信することができる（Ｓ１７０６）。ここで、ＨＡＲＱ−ＡＣＫ情報は、ＤＬ  ＤＣＩフォーマットによって指示されたＰＤＳＣＨ信号に関する受信応答情報、及びＤＬ  ＤＣＩフォーマットを含むＳＰＳ解除ＰＤＣＣＨ信号に関する受信応答情報のうち少なくとも一つを含むことができる。
【０１３８】
本発明によれば、ＨＡＲＱ−ＡＣＫタイミングのために、セル＃２に適用される参照ＵＬ−ＤＬ構成（Ｒｅｆ−Ｃｆｇ）がＵＬ−ＤＬ構成＃０でない場合（Ｍｅｔｈｏｄ  Ｄ−２）、ＤＡＩフィールドをＨＡＲＱ−ＡＣＫ情報の送信過程（例、ＤＴＸ検出、ＨＡＲＱ−ＡＣＫペイロード生成、ＨＡＲＱ−ＡＣＫリソース割当など）に用いることができる（Ｍｅｔｈｏｄ  Ｄ−２）。一方、ＨＡＲＱ−ＡＣＫタイミングのために、セル＃２に適用されるＲｅｆ−ＣｆｇがＵＬ−ＤＬ構成＃０である場合（Ｍｅｔｈｏｄ  Ｄ−１／Ｃａｓｅ  ＃１）、ＤＡＩフィールドはＨＡＲＱ−ＡＣＫ情報の送信過程に用いない（Ｓｏｌ−２）。この時、ＵＬ−ＤＬ  Ｃｆｇ  ＃０で動作するセルに対するＨＡＲＱ−ＡＣＫペイロードサイズは、ＨＡＲＱ−ＡＣＫ送信チャネル（例、ＰＵＣＣＨ、ＰＵＳＣＨ）にかかわらず（また、ＵＬ  ＤＡＩの値／有無にかかわらず）、常に最大サイズと決定することができる。ここで、最大サイズは、ＨＡＲＱ−ＡＣＫ送信の観点で１個のＰＣｅｌｌ  ＵＬ  ＳＦにリンクされるＵＬ−ＤＬ  Ｃｆｇ  ＃０のＤＬ  ＳＦ数の全体に該当するものであってよい（表３参照）。ＵＬ−ＤＬ  Ｃｆｇ  ＃０で動作するセルにＨＡＲＱ−ＡＣＫペイロードをＤＬ  ＤＡＩ順序ではなくＤＬ  ＳＦ順序でオーダリングすることができる。
【０１３９】
〈ＵＬ  ＤＡＩシグナリング〉
（１）ＭｅｔｈｏｄＵ−１：ＵＬ−ＤＬ  Ｃｆｇ  ＃０スケジューリングＵＬグラントＤＣＩフォーマットを用いたＵＬ  ＤＡＩシグナリンがない
本方法によれば、ＤＣＩフォーマット内の同一フィールドに対してＵＬ  ＤＡＩの代わりにＵＬインデックスシグナリングを提供することができる。また、Ａ／ＮがＵＬ−ＤＬ  Ｃｆｇ  ＃０のＣＣ上のＰＵＳＣＨで送信される時、各ＣＣに対するＡ／Ｎペイロードはいずれも最大サイズに決定することができる。ここで、最大サイズは、Ａ／Ｎ送信の観点で１個のＰＣＣ  ＵＬ  ＳＦにリンクされる各ＣＣのＤＬ  ＳＦ数の全体に該当するものであってよい（表３参照）。具体的に、ＤＬ  ＤＡＩシグナリングが提供されるＣＣのＡ／ＮペイロードはＤＬ  ＤＡＩ順序で、ＤＬ  ＤＡＩシグナリングが提供されないＣＣのＡ／ＮペイロードはＤＬ  ＳＦ順序でそれぞれオーダリングしたり、或いは全てのＣＣのＡ／ＮペイロードをＤＬ  ＳＦ順序でオーダリングすることができる。
【０１４０】
一方、本方法は、（ｉ）ＭＣＣがＵＬ−ＤＬ  Ｃｆｇ  ＃０である場合（ＭＣＣのＵＬグラント／ＰＨＩＣＨタイミングＲｅｆ−ＣｆｇをＭＣＣ  ＵＬ−ＤＬ  Ｃｆｇに設定）、（ｉｉ）ＳＣＣがＵＬ−ＤＬ  Ｃｆｇ  ＃０であり、非クロスキャリアスケジューリングである場合、（ｉｉｉ）ＳＣＣがＵＬ−ＤＬ  Ｃｆｇ  ＃０であり、クロスキャリアスケジューリングであり、且つＦＤ−ＴＤＤ  ＣＡである場合（ＳＣＣのＵＬグラント／ＰＨＩＣＨタイミングＲｅｆ−ＣｆｇをＳＣＣ  ＵＬ−ＤＬ  Ｃｆｇに設定）に限って適用することができる。また、本方法は、ＵＬ−ＤＬ  Ｃｆｇ  ＃０で動作するＣＣ（以下、ＵＬ−ＤＬ  Ｃｆｇ  ＃０  ＣＣ）のＵＬグラント／ＰＨＩＣＨタイミングＲｅｆ−ＣｆｇがＵＬ−ＤＬ  Ｃｆｇ  ＃０に設定される場合に限って、当該ＣＣ（すなわち、ＵＬ−ＤＬ  Ｃｆｇ  ＃０  ＣＣ）に適用することができる。また、本方法は、ＵＬ−ＤＬ  Ｃｆｇにかかわらず、ＵＬグラント／ＰＨＩＣＨタイミングＲｅｆ−ＣｆｇがＵＬ−ＤＬ  Ｃｆｇ  ＃０に設定されるＣＣに適用することができる。例えば、ＣＣがＵＬ−ＤＬ  Ｃｆｇ  ＃０〜６のいずれか一つ（特に、ＵＬ−ＤＬ  Ｃｆｇ  ＃１〜６のいずれか一つ）に設定され、当該ＣＣに対するＵＬグラント／ＰＨＩＣＨタイミングＲｅｆ−ＣｆｇがＵＬ−ＤＬ  Ｃｆｇ  ＃０に設定される場合、当該ＣＣに対するＵＬグラントＤＣＩフォーマットを用いてＵＬ  ＤＡＩシグナリングをしなくてもよい（その代わり、既存方式によってＵＬインデックスシグナリングを提供することができる）。このときも、上記提示されたＡ／Ｎペイロード構成及びＡ／Ｎオーダリング方式を適用することができる。
【０１４１】
（２）Ｍｅｔｈｏｄ  Ｕ−２：ＵＬ−ＤＬ  Ｃｆｇ  ＃０スケジューリングＵＬグラントＤＣＩフォーマットを用いたＵＬ  ＤＡＩシグナリングの提供
本方法によれば、ＤＣＩフォーマット内の同一フィールドに対してＵＬインデックスの代わりにＵＬ  ＤＡＩシグナリングを提供することができる。これに制限されるものではないが、本方法は、ＵＬ−ＤＬ  Ｃｆｇ  ＃０がＳＣＣであり、クロスＣＣスケジューリングであり、且つＨＤ−ＴＤＤ  ＣＡ構造である場合（ＳＣＣのＵＬグラント／ＰＨＩＣＨタイミングＲｅｆ−ＣｆｇをＭＣＣ  ＵＬ−ＤＬ  Ｃｆｇに設定）にのみ適用することができる。すなわち、その他の場合は、ＵＬ−ＤＬ  Ｃｆｇ  ＃０スケジューリングＵＬグラントＤＣＩフォーマットを用いたＵＬ  ＤＡＩシグナリングはない。この場合、既存と同様、ＵＬ−ＤＬ  Ｃｆｇ  ＃０スケジューリングＵＬグラントＤＣＩフォーマットを用いてはＵＬインデックスをシグナリングすることができる。また、本方法は、ＵＬ−ＤＬ  Ｃｆｇ  ＃０で動作するＣＣ（ＵＬ−ＤＬ  Ｃｆｇ  ＃０  ＣＣ）のＵＬグラント／ＰＨＩＣＨタイミングＲｅｆ−ＣｆｇがＵＬ−ＤＬ  Ｃｆｇ  ＃０以外のＵＬ−ＤＬ  Ｃｆｇに設定される場合に限って、当該ＣＣ（すなわち、ＵＬ−ＤＬ  Ｃｆｇ  ＃０  ＣＣ）に適用することができる。すなわち、ＵＬ−ＤＬ  Ｃｆｇ  ＃０  ＣＣのＵＬグラント／ＰＨＩＣＨタイミングＲｅｆ−ＣｆｇがＵＬ−ＤＬ  Ｃｆｇ  ＃０に設定される場合、ＵＬ−ＤＬ  Ｃｆｇ  ＃０スケジューリングＵＬグラントＤＣＩフォーマットを用いたＵＬ  ＤＡＩシグナリングはない。この場合、既存と同様、ＵＬ−ＤＬ  Ｃｆｇ  ＃０スケジューリングＵＬグラントＤＣＩフォーマットを用いてはＵＬインデックスをシグナリングすることができる。ＵＬ  ＤＡＩとＵＬインデックスをＵＬ  ＤＣＩフォーマットにおいて同一のフィールド（例、２ビットフィールド）を通じてシグナリングすることができる。また、本方法は、ＵＬ−ＤＬ  Ｃｆｇにかかわらず、ＵＬグラント／ＰＨＩＣＨタイミングＲｅｆ−ＣｆｇがＵＬ−ＤＬ  Ｃｆｇ  ＃０以外のＵＬ−ＤＬ  Ｃｆｇに設定されるＣＣに適用することができる。例えば、ＣＣがＵＬ−ＤＬ  Ｃｆｇ  ＃０〜６のいずれか一つ（特に、ＵＬ−ＤＬ  Ｃｆｇ  ＃０）に設定され、当該ＣＣに対するＵＬグラント／ＰＨＩＣＨタイミングＲｅｆ−ＣｆｇがＵＬ−ＤＬ  Ｃｆｇ  ＃１〜＃６のいずれか一つに設定される場合、当該ＣＣに対するＵＬグラントＤＣＩフォーマットを用いてＵＬ  ＤＡＩシグナリングを提供することができる。
【０１４２】
ＤＬ／ＵＬ  ＤＡＩシグナリングについて上記で提案した方法は、ＴＤＤ  ＣＡ組合せ／構造、クロスＣＣスケジューリング有無、Ａ／ＮタイミングＲｅｆ−Ｃｆｇ及び／又はＵＬグラント／ＰＨＩＣＨタイミングＲｅｆ−Ｃｆｇなどによって組み合わせることができる。例えば、ＵＬ−ＤＬ  Ｃｆｇ  ＃０がＳＣＣであり、且つ非クロスＣＣスケジューリングである場合に、ＤＬ  ＤＡＩシグナリングに対してはＭｅｔｈｏｄ  Ｄ−２を適用し、ＵＬ  ＤＡＩシグナリングに対してはＭｅｔｈｏｄ  Ｕ−１を適用することができる。結果として、ＵＬ−ＤＬ  Ｃｆｇ  ＃０スケジューリングＤＬグラントＤＣＩフォーマットにはＤＬ  ＤＡＩがシグナリングされ、ＵＬ−ＤＬ  Ｃｆｇ  ＃０スケジューリングＵＬグラントＤＣＩフォーマットには（ＵＬインデックスがシグナリングされる代わりに）ＵＬ  ＤＡＩがシグナリングされなくてよい。
【０１４３】
一方、（ＵＬ−ＤＬ  Ｃｆｇにかかわらず）互いに異なるＵＬ−ＤＬ  Ｃｆｇを持つ複数ＣＣ間ＣＡ状況においてＰＣＣがＤＬ  ＳＦに設定される特定ＳＦタイミングにＳＣＣがＵＬ  ＳＦに設定される場合、より特徴的に、Ａ／Ｎタイミングに設定されないＳＦがある場合もある。この場合、当該ＳＦタイミングで送信されるＡ／Ｎが存在しないため、該ＳＦタイミングで送信されるＵＬデータをスケジューリングするＵＬグラントＤＣＩフォーマットにおいてＵＬ  ＤＡＩシグナリングは不必要となることがある。本発明は、上記特定ＳＦをスケジューリングするＵＬグラントＤＣＩフォーマット内のＵＬ  ＤＡＩフィールドを、次のように別の用途に用いることを提案する。ここで、特定ＳＦは、任意のＣＣに対して、ＵＬ  ＳＦに設定されたが、Ａ／Ｎタイミングに設定されていないＳＦタイミングへと一般化できる。又は（さらに一般化して）、Ａ／Ｎタイミングの有無にかかわらず、全てのＳＦタイミング或いは指定された一部ＳＦタイミングに対して（ＵＬ  ＤＡＩフィールドを借用する方式で、或いは別のフィールドを追加する方式で）本提案方式を適用することもできる。
【０１４４】
１）ＳＦでのＰＵＳＣＨと（周期的）ＣＳＩとの同時送信の有無（例、ＰＵＳＣＨ  ｒａｔｅ−ｍａｔｃｈｉｎｇ  ｗｉｔｈ  ＣＳＩピギーバック、又はｎｏ  ＰＵＳＣＨ  ｒａｔｅ−ｍａｔｃｈｉｎｇ  ｗｉｔｈ  ＣＳＩ  ｄｒｏｐｐｉｎｇ）、ＰＵＳＣＨと（周期的）ＳＲＳとの同時送信の有無（例、ＰＵＳＣＨ  ｒａｔｅ−ｍａｔｃｈｉｎｇ  ｗｉｔｈ  ＳＲＳ  ｔｒａｎｓｍｉｓｓｉｏｎ、又はｎｏ  ＰＵＳＣＨ  ｒａｔｅ−ｍａｔｃｈｉｎｇ  ｗｉｔｈ  ＳＲＳ  ｄｒｏｐｐｉｎｇ）をシグナリングする用途に使用
２）Ａ／Ｎ以外のＵＣＩ（例、（周期的）ＣＳＩ）がピギーバックされて送信されるＰＵＳＣＨ（該ＰＵＳＣＨが送信されるＣＣ）を指示する用途に使用
図２０は、本発明の一実施例に係るＵＬ信号送信過程を例示する。本例は、［Ｍｅｔｈｏｄ  Ｕ−１、Ｍｅｔｈｏｄ  Ｕ−２］の組合せを例示し、他の方案も同様に行うことができる。
【０１４５】
図２０を参照すると、端末に、互いに異なるサブフレーム構成を持つ複数のセル（例、セル＃１、セル＃２）を構成することができる（Ｓ１８０２）。ここで、セル＃２は、ＵＬ−ＤＬ構成＃０〜＃６のいずれか一つ（特に、ＵＬ−ＤＬ  Ｃｆｇ  ＃０）とすることができる。これに制限されるものではないか、セル＃１はＰＣｅｌｌ、セル＃２はＳＣｅｌｌであってよい。以降、端末は、セル＃２のために、特定フィールド（例、２ビットフィールド）を含むＵＬ  ＤＣＩフォーマットを受信することができる（Ｓ１８０４）。クロスキャリアスケジューリングが設定された場合、ＵＬ  ＤＣＩフォーマットはＣＩＦフィールドをさらに含むことができる。ＵＬ  ＤＣＩフォーマットはＤＣＩフォーマット０／４を含む。その後、端末は、ＵＬ  ＤＣＩフォーマットに対応する／指示されたＰＵＳＣＨ信号を送信することができる（Ｓ１８０６）。ここで、ＰＵＳＣＨ信号はＨＡＲＱ−ＡＣＫ情報を含むことができる。ＨＡＲＱ−ＡＣＫ情報は、ＰＤＳＣＨ信号及び／又はＳＰＳ解除ＰＤＣＣＨ信号に関する受信応答情報を含むことができる。
【０１４６】
本発明によれば、ＵＧ／ＰＨＩＣＨタイミング（ここでは、ＰＵＳＣＨ（送信）タイミング）のために、セル＃２に適用される参照ＵＬ−ＤＬ構成（Ｒｅｆ−Ｃｆｇ）がＵＬ−ＤＬ構成＃１−６でない場合（すなわち、ＵＬ−ＤＬ構成＃０）、ＵＬ  ＤＣＩフォーマット内の特定フィールドは、ＰＵＳＣＨ信号の送信されるＵＬサブフレームのインデックスを決定するのに用いれる情報を指示することができる。すなわち、特定フィールドはＵＬインデックスを指示することができる。この場合、各セルに対するＨＡＲＱ−ＡＣＫペイロードサイズはいずれも最大サイズに決定することができる。ここで、最大サイズは、ＨＡＲＱ−ＡＣＫ送信の観点で１個のＰＣｅｌｌ  ＵＬ  ＳＦにリンクされる各セルのＤＬ  ＳＦ数に該当するものであってよい（表３参照）。具体的に、ＤＬ  ＤＡＩシグナリングが提供されるセルのＨＡＲＱ−ＡＣＫペイロードはＤＬ  ＤＡＩ順序で、ＤＬ  ＤＡＩシグナリングが提供されないセルのＨＡＲＱ−ＡＣＫペイロードはＤＬ  ＳＦ順序でそれぞれオーダリングしたり、又は全てのＣＣのＡ／ＮペイロードをＤＬ  ＳＦ順序でオーダリングすることができる。一方、ＵＧ／ＰＨＩＣＨタイミング（ここでは、ＰＵＳＣＨ（送信）タイミング）のために、セル＃２に適用されるＲｅｆ−ＣｆｇがＵＬ−ＤＬ構成＃１−６の場合、ＵＬ  ＤＣＩフォーマット内の特定フィールドはＤＡＩ値（すなわち、ＵＬ  ＤＡＩ値）を指示することができる。ＤＡＩフィールドのＵＬ  ＤＡＩ値は、ＨＡＲＱ−ＡＣＫ情報の送信過程（例、ＤＴＸ検出、ＨＡＲＱ−ＡＣＫペイロード生成など）に用いることができる。
【０１４７】
図２１は、本発明の実施例に適用することができる基地局及び端末を例示する。リレーを含むシステムの場合、基地局又は端末をリレーに代替してもよい。
【０１４８】
図２１を参照すると、無線通信システムは、基地局（ＢＳ）１１０及び端末（ＵＥ）１２０を含む。基地局１１０は、プロセッサ１１２、メモリー１１４及び無線周波数（ＲＦ）ユニット１１６を備える。プロセッサ１１２は、本発明で提案した手順及び／又は方法を具現するように構成することができる。メモリー１１４は、プロセッサ１１２に接続し、プロセッサ１１２の動作に関する様々な情報を記憶する。ＲＦユニット１１６は、プロセッサ１１２に接続し、て無線信号を送信及び／又は受信する。端末１２０は、プロセッサ１２２、メモリー１２４及びＲＦユニット１２６を備える。プロセッサ１２２は、本発明で提案した手順及び／又は方法を具現するように構成することができる。メモリー１２４は、プロセッサ１２２に接続し、プロセッサ１２２の動作に関する様々な情報を記憶する。ＲＦユニット１２６は、プロセッサ１２２に接続し、無線信号を送信及び／又は受信する。基地局１１０及び／又は端末１２０は、単一アンテナ又は多重アンテナを有することができる。
【０１４９】
以上説明してきた実施例は、本発明の構成要素及び特徴を所定形態に結合したものである。各構成要素又は特徴は、別の明示的な言及がない限り、選択的なものとして考慮しなければならない。各構成要素又は特徴は、他の構成要素や特徴と結合しない形態で実施することもでき、一部の構成要素及び／又は特徴を結合して本発明の実施例を構成することもできる。本発明の実施例で説明される動作の順序は変更可能である。ある実施例の一部構成や特徴は、別の実施例に含めることもでき、別の実施例の対応する構成又は特徴に置き換えることもできる。特許請求の範囲において明示的な引用関係にない請求項を結合して実施例を構成したり、出願後の補正によって新しい請求項として含めたりできることは明らかである。
【０１５０】
本文書において、本発明の実施例は主として端末と基地局との間のデータ送受信関係を中心に説明されている。本文書において基地局によって行われるとした特定動作は、場合によっては、その上位ノード（ｕｐｐｅｒ  ｎｏｄｅ）によって行われてもよい。すなわち、基地局を含む複数のネットワークノードからなるネットワークにおいて端末との通信のために行われる様々な動作は、基地局又は基地局以外の別のネットワークノードによって実行できることは明らかである。基地局は、固定局（ｆｉｘｅｄ  ｓｔａｔｉｏｎ）、Ｎｏｄｅ  Ｂ、ｅＮｏｄｅ  Ｂ（ｅＮＢ）、アクセスポイント（ａｃｃｅｓｓ  ｐｏｉｎｔ）などの用語に代替してもよい。また、端末は、ＵＥ（Ｕｓｅｒ  Ｅｑｕｉｐｍｅｎｔ）、ＭＳ（Ｍｏｂｉｌｅ  Ｓｔａｔｉｏｎ）、ＭＳＳ（Ｍｏｂｉｌｅ  Ｓｕｂｓｃｒｉｂｅｒ  Ｓｔａｔｉｏｎ）などの用語に代替してもよい。
【０１５１】
本発明に係る実施例は、様々な手段、例えば、ハードウェア、ファームウェア（ｆｉｒｍ  ｗａｒｅ）、ソフトウェア、又はそれらの結合などによって具現することができる。ハードウェアによる具現の場合、本発明の一実施例は、一つ又はそれ以上のＡＳＩＣｓ（ａｐｐｌｉｃａｔｉｏｎ  ｓｐｅｃｉｆｉｃ  ｉｎｔｅｇｒａｔｅｄ  ｃｉｒｃｕｉｔｓ）、ＤＳＰｓ（ｄｉｇｉｔａｌ  ｓｉｇｎａｌ  ｐｒｏｃｅｓｓｏｒｓ）、ＤＳＰＤｓ（ｄｉｇｉｔａｌ  ｓｉｇｎａｌ  ｐｒｏｃｅｓｓｉｎｇ  ｄｅｖｉｃｅｓ）、ＰＬＤｓ（ｐｒｏｇｒａｍｍａｂｌｅ  ｌｏｇｉｃ  ｄｅｖｉｃｅｓ）、ＦＰＧＡｓ（ｆｉｅｌｄ  ｐｒｏｇｒａｍｍａｂｌｅ  ｇａｔｅ  ａｒｒａｙｓ）、プロセッサ、コントローラ、マイクロコントローラ、マイクロプロセッサなどによって具現することができる。
【０１５２】
ファームウェアやソフトウェアによる具現の場合、本発明の一実施例は、以上で説明された機能又は動作を実行するモジュール、手順、関数などの形態で具現することができる。ソフトウェアコードは、メモリーユニットに保存され、プロセッサによって駆動することができる。メモリーユニットはプロセッサの内部又は外部に設けられ、既に公知の様々な手段によってプロセッサとデータを交換することができる。
【０１５３】
本発明は、本発明の特徴を逸脱しない範囲で別の特定の形態に具体化可能であるということは、当業者にとっては自明である。したがって、上記の詳細な説明は、いずれの面においても制限的に解釈してはならず、例示的なものとして考慮しなければならない。本発明の範囲は、添付の請求項の合理的な解釈によって決定すべきであり、本発明の均等範囲内における変更はいずれも本発明の範囲に含まれる。
【産業上の利用可能性】
【０１５４】
本発明は、無線移動通信システムの端末機、基地局、又はその他の装備（例、リレー）に用いることができる。具体的に、本発明は、制御情報を送信する方法及びそのための装置に適用することができる。
【図１】
0005933753.tif 000026
【図２】
0005933753.tif 000027
【図３】
0005933753.tif 000028
【図４】
0005933753.tif 000029
【図５】
0005933753.tif 000030
【図６】
0005933753.tif 000031
【図７】
0005933753.tif 000032
【図８】
0005933753.tif 000033
【図９】
0005933753.tif 000034
【図１０】
0005933753.tif 000035
【図１１】
0005933753.tif 000036
【図１２】
0005933753.tif 000037
【図１３】
0005933753.tif 000038
【図１４】
0005933753.tif 000039
【図１５】
0005933753.tif 000040
【図１６】
0005933753.tif 000041
【図１７】
0005933753.tif 000042
【図１８】
0005933753.tif 000043
【図１９】
0005933753.tif 000044
【図２０】
0005933753.tif 000045
【図２１】
0005933753.tif 000046